(57)【特許請求の範囲】
【請求項１】
超高画質放送信号の受信装置であって、
超高画質放送コンテンツと、前記超高画質放送コンテンツで表現された明るさ情報及び前記受信装置のディスプレイ環境に適するように前記超高画質放送コンテンツを変換する方法に対する情報を示す広域明るさ範囲メタデータとを含む超高画質放送信号を受信する受信部と、
前記受信された超高画質放送コンテンツをデコーディングするデコーダーと、
前記デコーディングされた超高画質放送コンテンツを再生する再生部と、を含み、
前記広域明るさ範囲メタデータは、
前記超高画質放送コンテンツで表現された最大基準明るさを示す最大基準明るさ情報、
前記超高画質放送コンテンツで表現された最小基準明るさを示す最小基準明るさ情報、
前記超高画質放送コンテンツで表現された明るさ範囲のうち必ず表現されなければならない明るさ範囲の最大値を示す必須最大明るさ情報、
前記超高画質放送コンテンツで表現された明るさ範囲のうち必ず表現されなければならない明るさ範囲の最小値を示す必須最小明るさ情報、及び
前記超高画質放送コンテンツで表現された明るさ範囲のうち必ず表現されなければならない明るさ範囲を拡張するために使用される追加領域差情報のうち少なくともいずれか一つを含む、超高画質放送信号の受信装置。
【請求項２】
前記広域明るさ範囲メタデータに含まれた最大基準明るさ情報及び必須最大明るさ情報を前記受信装置のディスプレイで表現可能な明るさ範囲の最大値と比較して前記受信装置のディスプレイ環境を区分する区分部をさらに含み、
前記受信装置のディスプレイ環境は、
前記受信装置のディスプレイで表現可能な明るさ範囲の最大値が前記必須最大明るさ情報が示す値より小さいか同じである第１の場合、
前記受信装置のディスプレイで表現可能な明るさ範囲の最大値が、前記必須最大明るさ情報が示す値より大きく、前記最大基準明るさ情報が示す値より小さい第２の場合、
前記受信装置のディスプレイで表現可能な明るさ範囲の最大値が、前記最大基準明るさ情報が示す値より大きいか同じである第３の場合
に区分される、請求項１に記載の超高画質放送信号の受信装置。
【請求項３】
前記受信装置のディスプレイ環境が前記第１の場合または前記第２の場合であるときは、前記受信した広域明るさ範囲メタデータを用いて前記超高画質放送コンテンツを変換し、前記第３の場合であるときは変換しない制御部をさらに含む、請求項２に記載の超高画質放送信号の受信装置。
【請求項４】
前記制御部は、前記広域明るさ範囲メタデータに含まれた必須最小明るさ情報、必須最大明るさ情報、最大基準明るさ情報及び最小基準明るさ情報を用いて前記超高画質放送コンテンツで表現された明るさ範囲を区分し、各区間別に異なる種類の変換方法を用いて前記超高画質放送コンテンツを変換し、
前記超高画質放送コンテンツで表現された明るさ範囲は、
前記必須最小明るさ情報が示す値と前記必須最大明るさ情報が示す値との間の領域である核心明るさ範囲領域、
前記必須最大明るさ情報が示す値と前記最大基準明るさ情報が示す値との間の領域である上位明るさ範囲領域、及び
前記最小基準明るさ情報が示す値と前記必須最小明るさ情報が示す値との間の領域である下位明るさ範囲領域
に区分される、請求項３に記載の超高画質放送信号の受信装置。
【請求項５】
前記制御部は、前記広域明るさ範囲メタデータに含まれた追加領域差情報を用いて前記核心明るさ範囲領域を拡張することができ、これによって前記上位明るさ範囲領域も変更される、請求項４に記載の超高画質放送信号の受信装置。
【請求項６】
前記広域明るさ範囲メタデータは、
前記超高画質放送コンテンツの区分された明るさ範囲の区間ごとに前記超高画質放送コンテンツの変換に使用される変換曲線の種類を識別する変換曲線タイプ情報、
前記識別された変換曲線に対する細部情報を示す変換曲線細部情報、及び
前記区分された明るさ範囲の各区間が前記受信装置の表現可能な明るさ範囲に占める比率を示す明るさ領域比率情報のうち少なくともいずれか一つを含む、請求項４に記載の超高画質放送信号の受信装置。
【請求項７】
前記広域明るさ範囲メタデータは、前記超高画質放送コンテンツで表現された明るさ範囲のうち特定範囲の明るさに対してのみ再生されるようにするクリッピングオプションの使用有無を示すクリッピングフラグ情報、及びクリッピングオプションが使用される場合、前記超高画質放送コンテンツで表現された明るさ範囲のうち再生される特定範囲の明るさを示すクリッピング明るさ範囲情報を含み、
前記クリッピングオプションが使用される場合、前記超高画質放送コンテンツで表現された明るさ範囲のうち前記クリッピング明るさ範囲情報が示す特定範囲の明るさに対してのみ再生する、請求項１に記載の超高画質放送信号の受信装置。
【請求項８】
前記広域明るさ範囲メタデータは、ＳＥＩメッセージに含まれて伝送され、または、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される、請求項１または６に記載の超高画質放送信号の受信装置。
【請求項９】
超高画質放送コンテンツを構成する超高画質ビデオデータと、前記超高画質放送コンテンツで表現された明るさ情報及び受信装置のディスプレイ環境に適するように前記超高画質放送コンテンツを変換する方法に対する情報を示す広域明るさ範囲メタデータとをエンコーディングする段階と、
前記エンコーディングされた超高画質ビデオデータ及び広域明るさ範囲メタデータを多重化する段階と、
前記多重化された超高画質ビデオデータ及び広域明るさ範囲メタデータを伝送する段階と、を含み、
前記広域明るさ範囲メタデータは、
前記超高画質放送コンテンツで表現された最大基準明るさを示す最大基準明るさ情報、
前記超高画質放送コンテンツで表現された最小基準明るさを示す最小基準明るさ情報、
前記超高画質放送コンテンツで表現された明るさ範囲のうち必ず表現されなければならない明るさ範囲の最大値を示す必須最大明るさ情報、
前記超高画質放送コンテンツで表現された明るさ範囲のうち必ず表現されなければならない明るさ範囲の最小値を示す必須最小明るさ情報、及び
前記超高画質放送コンテンツで表現された明るさ範囲のうち必ず表現されなければならない明るさ範囲を拡張するために使用される追加領域差情報のうち少なくともいずれか一つを含む、超高画質放送信号送信方法。
【請求項１０】
前記超高画質放送コンテンツで表現された明るさ範囲は、前記広域明るさ範囲メタデータに含まれた必須最小明るさ情報、必須最大明るさ情報、最大基準明るさ情報及び最小基準明るさ情報を用いて区分され、
前記超高画質放送コンテンツは、前記区分された各区間別に異なる種類の変換方法によって変換され、
前記超高画質放送コンテンツで表現された明るさ範囲は、
前記必須最小明るさ情報が示す値と前記必須最大明るさ情報が示す値との間の領域である核心明るさ範囲領域、
前記必須最大明るさ情報が示す値と前記最大基準明るさ情報が示す値との間の領域である上位明るさ範囲領域、及び
前記最小基準明るさ情報が示す値と前記必須最小明るさ情報が示す値との間の領域である下位明るさ範囲領域
に区分される、請求項９に記載の超高画質放送信号送信方法。
【請求項１１】
前記核心明るさ範囲領域は、前記広域明るさ範囲メタデータに含まれた追加領域差情報を用いて拡張され、
これによって前記上位明るさ範囲領域も変更される、請求項１０に記載の超高画質放送信号送信方法。
【請求項１２】
前記広域明るさ範囲メタデータは、
前記超高画質放送コンテンツの区分された明るさ範囲の区間ごとに前記超高画質放送コンテンツの変換に使用される変換曲線の種類を識別する変換曲線タイプ情報、
前記識別された変換曲線に対する細部情報を示す変換曲線細部情報、及び
前記区分された明るさ範囲の各区間が前記受信装置の表現可能な明るさ範囲に占める比率を示す明るさ領域比率情報のうち少なくともいずれか一つを含む、請求項１０に記載の超高画質放送信号送信方法。
【請求項１３】
前記広域明るさ範囲メタデータは、前記超高画質放送コンテンツで表現された明るさ範囲のうち特定範囲の明るさに対してのみ再生されるようにするクリッピングオプションの使用有無を示すクリッピングフラグ情報、及びクリッピングオプションが使用される場合、前記超高画質放送コンテンツで表現された明るさ範囲のうち再生される特定範囲の明るさを示すクリッピング明るさ範囲情報を含む、請求項９に記載の超高画質放送信号送信方法。
【請求項１４】
前記広域明るさ範囲メタデータは、ＳＥＩメッセージに含まれて伝送され、または、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される、請求項９または１２に記載の超高画質放送信号送信方法。
【発明の詳細な説明】
【技術分野】
【０００１】
本発明は、放送システムに関し、より詳細には、デジタル放送システムにおける広域明るさ表現のために超高画質放送信号を送受信する方法及び／または装置に関する。
【背景技術】
【０００２】
デジタル技術及び通信技術の発展に伴い、放送、映画のみならず、インターネット及び個人メディアなどの多様な領域でオーディオ／ビデオ中心のマルチメディアコンテンツの普及及び需要が急速に拡大している。さらに、放送及び映画を介して立体感を提供する３ＤＴＶ／３Ｄ映画の普及と共に、リアリティと臨場感を提供する実感メディアに対する消費者の要求が増加している。また、ディスプレイ技術の発展と共に、家庭でのＴＶ画面が大型化されるにつれて、ＨＤ級以上の高画質で実感のあるコンテンツを楽しもうとする消費が増加している。これによって、ポスト（Ｐｏｓｔ）―ＨＤＴＶ市場に備えて、３ＤＴＶと共にＵＨＤＴＶ（Ｕｌｔｒａ  Ｈｉｇｈ  Ｄｅｆｉｎｉｔｉｏｎ  ＴＶ）などの実感放送が次世代の放送サービスとして関心を受けており、特に、ＵＨＤ（Ｕｌｔｒａ  Ｈｉｇｈ  Ｄｅｆｉｎｉｔｉｏｎ）放送サービスに対する議論が増加している趨勢である。
【０００３】
ＵＨＤ放送は、既存のＨＤ放送に比べて多様な面で視聴者に豊かな色相、向上した画質及び没入感を提供することを目標とする。このための方法として、コンテンツで表現される明るさの範囲を実際の人間の視覚体系で認知できる明るさ範囲に拡張する方法を使用することができる。すなわち、超高画質コンテンツを通じて向上した明るさ及び高コントラストを提供することによって、超高画質コンテンツを鑑賞するユーザーがより大きな没入感及び臨場感を経験することができる。しかし、コンテンツで表現された広域明るさ範囲（ＨＤＲ）がディスプレイでサポートされない場合、視聴者は、コンテンツ製作者の意図とは反対に、画質が劣化した映像または情報が失われた映像を鑑賞するようになるという問題が発生する。
【０００４】
ＵＨＤ放送は、既存のコンテンツで表現できなかった明るさを表現することによって既存の放送と差別化される。ＵＨＤ放送は、視聴者に高度の臨場感を提供することができる。最近、広域明るさ（Ｈｉｇｈ  Ｄｙｎａｍｉｃ  Ｒａｎｇｅ；ＨＤＲ）を有する映像入力設備を通じてＨＤＲコンテンツが製作されている。しかし、ＨＤＲをサポートできるディスプレイは未だにプロトタイプ開発段階にあるので、ＨＤＲコンテンツを十分に表現できないという問題が存在する。これにより、視聴者等がＨＤＲコンテンツを視聴するのに不便さが存在する。
【０００５】
ＵＨＤ放送は、高画質映像の提供のための多様な要素のうち明るさの表現範囲を拡大することによって、より現実感の高い映像を提供している。このためには、既存の明るさ範囲を超える明るさ範囲を受容できる設備を通じてコンテンツの獲得及び製作が行われなければならなく、このようなコンテンツの明るさ表現範囲をサポートできるディスプレイまたは上映設備が備えられていなければならない。しかし、多様な明るさと関連する特性を有しているディスプレイが存在する環境で、視聴者が提供されるコンテンツの明るさ範囲を十分に受容できないディスプレイを通じて該当コンテンツを視聴する場合が発生し得る。現在の放送またはデジタルメディアを介したコンテンツ提供環境では、伝送されるコンテンツに対する明るさ情報のみならず、受信側のディスプレイ環境に対して備えられる情報が与えられていないので、受信側では画質劣化が発生するという問題が存在する。
【発明の概要】
【発明が解決しようとする課題】
【０００６】
本発明が達成しようとする課題は、上述した問題を解決するためのものであって、デジタル放送システムで広域明るさ表現が可能な超高画質放送信号を送受信する方法及び／または装置を提供することにある。
【０００７】
さらに、本発明が達成しようとする課題は、視聴者が、コンテンツ製作者が意図した明るさ範囲を有するコンテンツを視聴できるようにする超高画質放送信号を送受信する方法及び／または装置を提供することにある。
【０００８】
さらに、本発明が達成しようとする課題は、受信装置のディスプレイ環境に適するように変換されたコンテンツを受信する方法及び／または装置を提供することにある。
【課題を解決するための手段】
【０００９】
本発明の一実施例に係る超高画質放送信号受信装置は、超高画質放送コンテンツ及び前記超高画質放送コンテンツで表現された明るさ情報と前記受信装置のディスプレイ環境に適するように前記超高画質放送コンテンツを変換する方法に対する情報を示す広域明るさ範囲メタデータを含む超高画質放送信号を受信する受信部、前記受信された超高画質放送コンテンツをデコーディングするデコーダー、及び前記デコーディングされた超高画質放送コンテンツを再生する再生部を含む。
【００１０】
好ましくは、前記広域明るさ範囲メタデータは、前記超高画質放送コンテンツで表現された最大基準明るさを示す最大基準明るさ情報、前記超高画質放送コンテンツで表現された最小基準明るさを示す最小基準明るさ情報、前記超高画質放送コンテンツで表現された明るさ範囲のうち必ず表現されなければならない明るさ範囲の最大値を示す必須最大明るさ情報、前記超高画質放送コンテンツで表現された明るさ範囲のうち必ず表現されなければならない明るさ範囲の最小値を示す必須最小明るさ情報、及び前記超高画質放送コンテンツで表現された明るさ範囲のうち必ず表現されなければならない明るさ範囲を拡張するために使用される追加領域差情報のうち少なくともいずれか一つをさらに含む。
【００１１】
好ましくは、前記超高画質放送サービス受信装置は、前記広域明るさ範囲メタデータに含まれた最大基準明るさ情報及び必須最大明るさ情報を前記受信装置のディスプレイで表現可能な明るさ範囲の最大値と比較して前記受信装置のディスプレイ環境を区分する区分部をさらに含み、ここで、前記受信装置のディスプレイ環境は、前記受信装置のディスプレイで表現可能な明るさ範囲の最大値が前記必須最大明るさ情報が示す値より小さいか同じである第１の場合と、前記受信装置のディスプレイで表現可能な明るさ範囲の最大値が、前記必須最大明るさ情報が示す値より大きく、前記最大基準明るさ情報が示す値より小さい第２の場合と、前記受信装置のディスプレイで表現可能な明るさ範囲の最大値が、前記最大基準明るさ情報が示す値より大きいか同じである第３の場合とに区分される。
【００１２】
好ましくは、前記超高画質放送サービス受信装置は、前記受信装置のディスプレイ環境が前記第１の場合または前記第２の場合であるときは、前記受信した広域明るさ範囲メタデータを用いて前記超高画質放送コンテンツを変換し、前記第３の場合であるときは変換しない制御部をさらに含む。
【００１３】
好ましくは、前記制御部は、前記広域明るさ範囲メタデータに含まれた必須最小明るさ情報、必須最大明るさ情報、最大基準明るさ情報及び最小基準明るさ情報を用いて前記超高画質放送コンテンツで表現された明るさ範囲を区分し、各区間別に異なる種類の変換方法を用いて前記超高画質放送コンテンツを変換し、ここで、前記超高画質放送コンテンツで表現された明るさ範囲は、前記必須最小明るさ情報が示す値と前記必須最大明るさ情報が示す値との間の領域である核心明るさ範囲領域と、前記必須最大明るさ情報が示す値と前記最大基準明るさ情報が示す値との間の領域である上位明るさ範囲領域と、前記最小基準明るさ情報が示す値と前記必須最小明るさ情報が示す値との間の領域である下位明るさ範囲領域とに区分される。
【００１４】
好ましくは、前記制御部は、前記広域明るさ範囲メタデータに含まれた追加領域差情報を用いて前記核心明るさ範囲領域を拡張することができ、これによって、前記上位明るさ範囲領域も変更される。
【００１５】
好ましくは、前記広域明るさ範囲メタデータは、前記超高画質放送コンテンツの区分された明るさ範囲の区間ごとに前記超高画質放送コンテンツの変換に使用される変換曲線の種類を識別する変換曲線タイプ情報、前記識別された変換曲線に対する細部情報を示す変換曲線細部情報、及び前記区分された明るさ範囲の各区間が前記受信装置の表現可能な明るさ範囲に占める比率を示す明るさ領域比率情報のうち少なくともいずれか一つを含む。
【００１６】
好ましくは、前記広域明るさ範囲メタデータは、前記超高画質放送コンテンツで表現された明るさ範囲のうち特定範囲の明るさに対してのみ再生されるようにするクリッピングオプションの使用有無を示すクリッピングフラグ情報、及びクリッピングオプションが使用される場合、前記超高画質放送コンテンツで表現された明るさ範囲のうち再生される特定範囲の明るさを示すクリッピング明るさ範囲情報を含み、前記クリッピングオプションが使用される場合、前記超高画質放送コンテンツで表現された明るさ範囲のうち前記クリッピング明るさ範囲情報が示す特定範囲の明るさに対してのみ再生する。
【００１７】
好ましくは、前記広域明るさ範囲メタデータは、ＳＥＩメッセージに含ませて伝送したり、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含ませて伝送することができる。
【００１８】
本発明の他の実施例に係る超高画質放送信号送信方法は、超高画質放送コンテンツを構成する超高画質ビデオデータ、及び前記超高画質放送コンテンツで表現された明るさ情報と前記受信装置のディスプレイ環境に適するように前記超高画質放送コンテンツを変換する方法に対する情報を示す広域明るさ範囲メタデータをエンコーディングすること、前記エンコーディングされた超高画質ビデオデータ及び広域明るさ範囲メタデータを多重化すること、及び前記多重化された超高画質ビデオデータ及び広域明るさ範囲メタデータを伝送することを含む。
【００１９】
好ましくは、前記広域明るさ範囲メタデータは、前記超高画質放送コンテンツで表現された最大基準明るさを示す最大基準明るさ情報、前記超高画質放送コンテンツで表現された最小基準明るさを示す最小基準明るさ情報、前記超高画質放送コンテンツで表現された明るさ範囲のうち必ず表現されなければならない明るさ範囲の最大値を示す必須最大明るさ情報、前記超高画質放送コンテンツで表現された明るさ範囲のうち必ず表現されなければならない明るさ範囲の最小値を示す必須最小明るさ情報、及び前記超高画質放送コンテンツで表現された明るさ範囲のうち必ず表現されなければならない明るさ範囲を拡張するために使用される追加領域差情報のうち少なくともいずれか一つをさらに含む。
【００２０】
好ましくは、前記超高画質放送コンテンツで表現された明るさ範囲は、前記広域明るさ範囲メタデータに含まれた必須最小明るさ情報、必須最大明るさ情報、最大基準明るさ情報及び最小基準明るさ情報を用いて区分され、前記超高画質放送コンテンツは、前記区分された各区間別に異なる種類の変換方法によって変換され、ここで、前記超高画質放送コンテンツで表現された明るさ範囲は、前記必須最小明るさ情報が示す値と前記必須最大明るさ情報が示す値との間の領域である核心明るさ範囲領域、前記必須最大明るさ情報が示す値と前記最大基準明るさ情報が示す値との間の領域である上位明るさ範囲領域、及び前記最小基準明るさ情報が示す値と前記必須最小明るさ情報が示す値との間の領域である下位明るさ範囲領域に区分することができる。
【００２１】
好ましくは、前記核心明るさ範囲領域は、前記広域明るさ範囲メタデータに含まれた追加領域差情報を用いて拡張され、これによって前記上位明るさ範囲領域も変更される。
【００２２】
好ましくは、前記広域明るさ範囲メタデータは、前記超高画質放送コンテンツの区分された明るさ範囲の区間ごとに前記超高画質放送コンテンツの変換に使用される変換曲線の種類を識別する変換曲線タイプ情報、前記識別された変換曲線に対する細部情報を示す変換曲線細部情報、及び前記区分された明るさ範囲の各区間が前記受信装置の表現可能な明るさ範囲に占める比率を示す明るさ領域比率情報のうち少なくともいずれか一つを含む。
【００２３】
好ましくは、前記広域明るさ範囲メタデータは、前記超高画質放送コンテンツで表現された明るさ範囲のうち特定範囲の明るさに対してのみ再生されるようにするクリッピングオプションの使用有無を示すクリッピングフラグ情報、及びクリッピングオプションが使用される場合、前記超高画質放送コンテンツで表現された明るさ範囲のうち再生される特定範囲の明るさを示すクリッピング明るさ範囲情報を含む。
【００２４】
好ましくは、前記広域明るさ範囲メタデータは、ＳＥＩメッセージに含まれて伝送されたり、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される。
【発明の効果】
【００２５】
本発明によると、コンテンツ製作者が意図した明るさ範囲を有する超高画質放送コンテンツを受信／再生することができる。
【００２６】
本発明によると、受信装置のディスプレイ環境に適するように変換されたコンテンツを受信／再生することができる。
【００２７】
本発明によると、コンテンツの特性及び受信装置のディスプレイ特性を考慮した最適な鑑賞環境を視聴者に提供することができる。
【００２８】
本発明によると、コンテンツ製作者は、提供するコンテンツに対して意図したことを視聴者に直ぐ伝達することができる。
【００２９】
本発明によると、視聴者は、受信されるコンテンツに応じてディスプレイを変えないとしても、保有したディスプレイ特性を考慮した最適な視聴環境の提供を受けることができる。
【図面の簡単な説明】
【００３０】
【図１】本発明の一実施例に係る超高画質放送信号受信装置の動作を示したフローチャートである。
【図２】本発明の一実施例に係る受信装置のディスプレイ環境を区分する判断基準を示した図である。
【図３】本発明の一実施例に係る超高画質放送コンテンツの映像処理過程を示した図である。
【図４】本発明の一実施例に係るクリッピング（ｃｌｉｐｐｉｎｇ）オプションと線形明るさ範囲変換（ｌｉｎｅａｒ  ｄｙｎａｍｉｃ  ｒａｎｇｅ  ｔｒａｎｓｆｏｒｍａｔｉｏｎ）方法を示した図である。
【図５】本発明の一実施例に係る広域明るさ範囲メタデータを通じて伝送される変換曲線（ｔｒａｎｓｆｏｒｍａｔｉｏｎ  ｃｕｒｖｅ）の種類を示した図である。
【図６】本発明の一実施例に係る超高画質放送信号受信装置のディスプレイの区分による適応性明るさ範囲変換（ａｄａｐｔｉｖｅ  ｄｙｎａｍｉｃ  ｒａｎｇｅ  ｔｒａｎｓｆｏｒｍａｔｉｏｎ）方法を示した図である。
【図７】本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）の構造を示した図である。
【図８】本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）に含まれて伝送される広域明るさ範囲メタデータ（Ｄｙｎａｍｉｃ  ｒａｎｇｅ  ｔｒａｎｓｆｏｒｍａｔｉｏｎ  ｉｎｆｏ（ｐａｙｌｏａｄＳｉｚｅ））を示した図である。
【図９】本発明の一実施例に係る核心領域変換曲線タイプ情報（ｍｉｄ＿ＤＲ＿ｔｒａｎｓｆｏｒｍａｔｉｏｎ＿ｃｕｒｖｅ＿ｔｙｐｅ）を示した図である。
【図１０】本発明の一実施例に係る変換曲線細部情報（ＤＲ＿ｔｒａｎｓｆｏｒｍａｔｉｏｎ＿ｃｕｒｖｅ）を示した図である。
【図１１】本発明の一実施例に係るＥＩＴ（Ｅｖｅｎｔ  Ｉｎｆｏｒｍａｔｉｏｎ  Ｔａｂｌｅ）を示した図である。
【図１２】本発明の一実施例に係る明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ）を示した図である。
【図１３】本発明の一実施例に係る明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ（））に含まれた広域明るさ範囲メタデータ（ｄｙｎａｍｉｃ＿ｒａｎｇｅ＿ｔｒａｎｓｆｏｒｍａｔｉｏｎ＿ｍｅｔａｄａｔａ（））を示した図である。
【図１４】本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））を示した図である。
【図１５】本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））に含まれたＵＨＤ＿ｓｅｒｖｉｃｅ＿ｔｙｐｅフィールドを示した図である。
【図１６】本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）を示した図である。
【図１７】本発明の一実施例に係る超高画質放送サービスであることを識別できるディスクリプタを示した図である。
【図１８】本発明の一実施例に係る超高画質放送信号送信方法を示した図である。
【発明を実施するための形態】
【００３１】
〔発明を実施するための最善の形態〕
以下、添付の各図面及び添付の各図面に記載した内容を参照して本発明の実施例を詳細に説明するが、本発明が各実施例によって制限または限定されることはない。
【００３２】
本明細書で使用される用語としては、本発明での機能を考慮しながら、可能な限り現在広く使用される一般的な用語を選択したが、これは、当分野に携わる技術者の意図、慣例または新たな技術の出現などによって変わり得る。また、特定の場合は、出願人が任意に選定した用語もあり、この場合、該当する発明の説明部分でその意味を記載する。したがって、本明細書で使用される用語は、単純な用語の名称ではなく、その用語が有する実質的な意味と本明細書の全般にわたった内容に基づいて解釈すべきであることを明らかにしておく。
【００３３】
図１は、本発明の一実施例に係る超高画質放送信号受信装置の動作を示したフローチャートである。
【００３４】
本発明の一実施例に係る超高画質放送信号受信装置は、逆多重化部（Ｄｅｍｕｌｔｉｐｌｅｘｅｒ）１０１０、デコーダー（Ｄｅｃｏｄｅｒ）１０２０、ＥＯＴＦ遂行部（Ｅｌｅｃｔｒｏ―Ｏｐｔｉｃａｌ  Ｔｒａｎｓｆｅｒ  Ｆｕｎｃｔｉｏｎ）１０３０、区分部１０４０及び／または制御部（Ｃｏｎｔｒｏｌｌｅｒ）１０５０を含むことができる。
【００３５】
逆多重化部（Ｄｅｍｕｌｔｉｐｌｅｘｅｒ）１０１０は、受信部（Ｒｅｃｅｉｖｅｒ）（図示せず）を含むことができる。受信部は、超高画質放送コンテンツを受信することができ、広域明るさ範囲メタデータ（Ｈｉｇｈ  Ｄｙｎａｍｉｃ  Ｒａｎｇｅ  ｍｅｔａｒａｄａ；ＨＤＲ  ｍｅｔａｄａｔａ）を受信することができる。広域明るさ範囲メタデータは、超高画質放送コンテンツで表現された明るさ情報、及び受信装置のディスプレイ環境に適するように超高画質放送コンテンツを変換する方法に対する情報を示すことができる。逆多重化部は、多重化されて受信された超高画質放送ストリーム（ＵＨＤ  ｓｔｒｅａｍ）をそれぞれの単位ストリーム（Ｅｌｅｍｅｎｔａｒｙ  Ｓｔｒｅａｍ）に逆多重化させることができる。例えば、単位ストリームは、ビデオデータを伝送するビデオ単位ストリーム、オーディオデータを伝送するオーディオ単位ストリームなどを含むことができる。広域明るさ範囲メタデータも、超高画質メディアデータと共に多重化されて一つの超高画質放送ストリームとして受信され得る。この場合、逆多重化部は、多重化されて受信された超高画質放送ストリームをそれぞれの単位ストリーム及び／またはディスプレイ情報メタデータに逆多重化させることができる。
【００３６】
デコーダー（Ｄｅｃｏｄｅｒ）１０２０は、逆多重化された単位ストリームが伝送するメディアデータ及び／またはディスプレイ情報メタデータをデコーディングすることができる。単位ストリームが伝送するメディアデータは、超高画質ビデオデータを含むことができる。
【００３７】
ＥＯＴＦ遂行部（Ｅｌｅｃｔｒｏ―Ｏｐｔｉｃａｌ  Ｔｒａｎｓｆｅｒ  Ｆｕｎｃｔｉｏｎ）１０３０は、デコーディングされた超高画質ビデオデータを対象にしてエンコーディング（ｅｎｃｏｄｉｎｇ）過程で使用されていた伝送曲線（ｔｒａｎｓｆｅｒ  ｃｕｒｖｅ）に沿って適切な演算を行うことができる。このとき、既存のＥＯＴＦ以外にも、ＨＤＲに適したＥＯＴＦを使用することができ、任意のＥＯＴＦを新たに定義して使用することができる。既存のＥＯＴＦの一例として、ＩＴＵ―Ｒ  ＢＴ．１８８６に記載のガンマ（ｇａｍｍａ）変換がこれに該当し得る。ＨＤＲに適したＥＯＴＦの一例として、知覚的量子化（Ｐｅｒｃｅｐｔｕａｌ  Ｑｕａｎｔｉｚａｔｉｏｎ）などがこれに該当し得る。任意のＥＯＴＦとしては、新たな（ｎｅｗ）―ＥＯＴＦを使用することができる。ＥＯＴＦ遂行部で使用されるＥＯＴＦに対する情報は、ＶＵＩメッセージ（音声ユーザーインターフェースメッセージ（Ｖｏｉｃｅ  Ｕｓｅｒ  Ｉｎｔｅｒｆａｃｅ  ｍｅｓｓａｇｅ））またはメタデータを介して伝送することができる。上述したＥＯＴＦに対する情報は、本発明の一実施例に係る広域明るさ範囲メタデータに含ませて伝送することができ、これに関しては後で詳細に説明する。ＥＯＴＦ遂行部によるＥＯＴＦ遂行は、受信装置の動作の流れに従って制御部の処理過程後に行うことができ、制御部の処理過程中に行うことができる。当該図面に示したように、本発明の一実施例に係る受信装置の動作では、線形明るさグラデーション（ｌｉｎｅａｒ  ｌｕｍｉｎａｎｃｅ  ｇｒａｄａｔｉｏｎ）での変換を仮定している。したがって、本発明の一実施例に係る受信装置は、デコーディング直後にＥＯＴＦを行う。ここで、ＥＯＴＦ（Ｅｌｅｃｔｒｏ―Ｏｐｔｉｃａｌ  Ｔｒａｎｓｆｅｒ  Ｆｕｎｃｔｉｏｎ；ＥＯＴＦ）とは、ディスプレイのデジタル入力値と出力明るさ値との関係を示したり、ディスプレイの入力明るさ値と出力デジタル値との関係を示す変換関数である。
【００３８】
区分部１０４０は、本発明の一実施例に係る受信装置のディスプレイで表現可能な明るさ範囲（Ｄｙｎａｍｉｃ  Ｒａｎｇｅ；ＤＲ）情報と、広域明るさ範囲メタデータを通じて受信された超高画質放送コンテンツの明るさ範囲情報とを比較してコンテンツの変換有無を判断することができる。ここで、受信装置のディスプレイで表現可能な明るさ範囲情報は、受信装置で表現可能な明るさ範囲の最大値、最小値及びビット深度（ｂｉｔ  ｄｅｐｔｈ）を含むことができる。ここで、超高画質放送コンテンツの明るさ範囲情報は、超高画質放送コンテンツで表現された最大基準明るさを示す最大基準明るさ情報、超高画質放送コンテンツで表現された最小基準明るさを示す最小基準明るさ情報、及びビット深度（ｂｉｔ  ｄｅｐｔｈ）を含むことができる。区分部は、既に設定された判断基準に従って受信装置のディスプレイ環境を区分することができる。本発明の一実施例によると、受信装置のディスプレイ環境は、既存の明るさ範囲を有するディスプレイ（場合１）、既存の明るさ範囲より広い明るさ範囲を有するが、超高画質放送コンテンツで表現された明るさ範囲を全ては受容できないディスプレイ（場合２）、及び超高画質放送コンテンツで表現された明るさ範囲より広い範囲を表現できるディスプレイ（場合３）のうちいずれか一つに区分することができる。ここで、受信装置のディスプレイ環境の区分のために既に設定された判断基準と既存の明るさ範囲に対しては、後で詳細に説明する。
【００３９】
制御部（Ｃｏｎｔｒｏｌｌｅｒ）１０５０は、本発明の一実施例に係る受信装置のディスプレイ環境に適するように超高画質放送コンテンツを変換することができる。また、区分部で区分された本発明の一実施例に係る受信装置のディスプレイ環境に適するように超高画質放送コンテンツを変換することができる。制御部は、超高画質放送コンテンツで表現された明るさ範囲を既に設定された判断基準に従って区分することができ、区分された各区間別に異なる種類の変換方法を用いて超高画質放送コンテンツを変換することができる。ここで、コンテンツで表現された明るさ範囲を区分する判断基準に対しては後で説明する。制御部は、本発明の一実施例に係る受信装置のディスプレイ環境が、第１の場合または第２の場合であるときは、受信した広域明るさ範囲メタデータを用いて超高画質放送コンテンツを変換することができ、第３の場合であるときは超高画質放送コンテンツを変換しない。
【００４０】
本発明の一実施例に係る超高画質放送信号受信装置は、超高画質放送コンテンツを再生する再生部を含むことができる。再生部は、後述するクリッピングオプションが使用される場合、超高画質放送コンテンツで表現された全体の明るさ範囲のうち後述するクリッピング明るさ範囲情報が示す特定範囲の明るさに対してのみ再生することができる。
【００４１】
本発明の一実施例に係る超高画質放送コンテンツを変換する過程は、視聴者によってＴＶのプリセット（ｐｒｅｓｅｔ）に予め指定することができ、この場合、別途の選択段階なしで自動的に超高画質放送コンテンツを変換することができる。ＴＶのプリセット（ｐｒｅｓｅｔ）にコンテンツの変換有無を予め指定した場合は、チャンネル変更時にもこのような設定を同一に維持することができる。コンテンツの変換有無は、超高画質放送コンテンツ供給段階で指定することができ、この場合、受信装置でコンテンツの変換をサポートするなら、別途の選択段階なしで自動的にコンテンツを変換することができる。
【００４２】
本発明の一実施例によると、超高画質放送コンテンツで表現された明るさ情報などを含む広域明るさ範囲メタデータは、シーンバイシーン（ｓｃｅｎｅ  ｂｙ  ｓｃｅｎｅ）で受信することができる。
【００４３】
本発明の一実施例によると、予約視聴環境でもＥＰＧ（Ｅｌｅｃｔｒｏｎｉｃ  Ｐｒｏｇｒａｍ  Ｇｕｉｄｅ）などを通じて広域明るさ範囲メタデータに基づいた広域明るさ範囲を有する超高画質放送コンテンツに対して予め知らせることができる。この場合、視聴者は、ＥＰＧ上の特定コンテンツの変換を予約することができる。このとき、受信装置は、これを記憶してから、当該コンテンツが選択されたとき、自動的に超高画質放送コンテンツを受信装置のディスプレイ環境に適するように変換することができる。
【００４４】
本発明の一実施例に係る受信装置は、チャンネル変更時、現在のチャンネルで放送され、受信装置のディスプレイ環境に合わせて変換されたコンテンツの変換関連情報を記憶することができ、その後、現在のチャンネルに再び戻り、該当コンテンツが継続して放送中であるとき、以前に記憶された変換関連情報を再び使用して再生することができる。
【００４５】
本発明の一実施例に係る受信装置は、受信される超高画質放送コンテンツに適したディスプレイ環境で受信装置のディスプレイ環境を調整するのに必要なディスプレイ情報メタデータを受信することができる。この場合、本発明の一実施例に係る受信装置は、受信したディスプレイ情報メタデータを用いて超高画質放送コンテンツに適するように受信装置のディスプレイ環境を調整することができる。
【００４６】
図２は、本発明の一実施例に係る受信装置のディスプレイ環境を区分する判断基準を示した図である。
【００４７】
本発明の一実施例に係る超高画質放送信号受信装置のディスプレイ環境は、既存の明るさ範囲を有するディスプレイ（場合１）、既存の明るさ範囲より広い明るさ範囲を有するが、超高画質放送コンテンツで表現された明るさ範囲を全ては受容できないディスプレイ（場合２）、及び超高画質放送コンテンツで表現された明るさ範囲より広い範囲を表現できるディスプレイ（場合３）のうちいずれか一つに区分することができる。
【００４８】
本発明の一実施例に係る受信装置のディスプレイ環境を区分する判断基準は、超高画質放送コンテンツで表現された最大基準明るさを示す最大基準明るさ情報（ｌｕｍｉｎａｎｃｅ＿ｍａｘ）、超高画質放送コンテンツで表現された明るさ範囲のうち必ず表現されなければならない明るさ範囲の最大値を示す必須最大明るさ情報（ｌｕｍｉｎａｎｃｅ＿ｕｐｐｅｒ＿ｂｏｕｎｄ）、及び超高画質放送信号受信装置のディスプレイで表現可能な明るさ範囲の最大値（ｍａｘ＿ｄｉｓｐｌａｙ＿ｂｒｉｇｈｔｎｅｓｓ）が該当し得る。
【００４９】
当該図面を見ると、受信装置のディスプレイで表現可能な明るさ範囲の最大値（ｍａｘ＿ｄｉｓｐｌａｙ＿ｂｒｉｇｈｔｎｅｓｓ）が、コンテンツで表現された最大基準明るさ（ｌｕｍｉｎａｎｃｅ＿ｍａｘ）に既に設定された値（ａｌｐｈａ）を足した値より大きいか同じであると、本発明の一実施例に係る受信装置のディスプレイは場合３に区分することができる。そして、場合３に該当しないと共に、受信装置のディスプレイで表現可能な明るさ範囲の最大値（ｍａｘ＿ｄｉｓｐｌａｙ＿ｂｒｉｇｈｔｎｅｓｓ）がコンテンツで必ず表現されなければならない明るさ範囲の最大値である必須最大明るさ（ｌｕｍｉｎａｎｃｅ＿ｕｐｐｅｒ＿ｂｏｕｎｄ）に既に設定された値（ｂｅｔａ）を足した値より小さいか同じであると、本発明の一実施例に係る受信装置のディスプレイは場合１に区分することができる。そして、場合３及び場合１の条件を満足しないと、本発明の一実施例に係る受信装置のディスプレイは場合２に区分することができる。ここで、既存の明るさ範囲を有するディスプレイ（場合１）において、既存の明るさ範囲は、コンテンツで必ず表現されなければならない明るさ範囲の最大値である必須最大明るさ（ｌｕｍｉｎａｎｃｅ＿ｕｐｐｅｒ＿ｂｏｕｎｄ）に既に設定された値（ｂｅｔａ）を足した値より小さい範囲を意味し得る。当該図面において、アルファ（ａｌｐｈａ）及びベータ（ｂｅｔａ）値は、本発明の一実施例に係る受信装置のディスプレイ及び超高画質放送コンテンツの特性を参照して予め設定することができ、追加的に伝送することができる。
【００５０】
本発明の一実施例によると、当該図面で既に設定された値であるアルファ（ａｌｐｈａ）及びベータ（ｂｅｔａ）は０に設定することができる。この場合、本発明の一実施例に係る受信装置のディスプレイ環境は、受信装置のディスプレイで表現可能な明るさ範囲の最大値が、必須最大明るさ情報が示す値より小さいか同じである第１の場合（場合１）、受信装置のディスプレイで表現可能な明るさ範囲の最大値が、必須最大明るさ情報が示す値より大きく、最大基準明るさ情報が示す値より小さい第２の場合（場合２）、及び受信装置のディスプレイで表現可能な明るさ範囲の最大値が、最大基準明るさ情報が示す値より大きいか同じである第３の場合（場合３）に区分することができる。
【００５１】
本発明の一実施例によると、超高画質放送信号受信装置のディスプレイ環境を区分するための判断基準として、最大基準明るさ情報、必須最大明るさ情報及び受信装置のディスプレイで表現可能な明るさ範囲の最大値を用いることができる。ここで、明るさ範囲の最大値を判断基準として用いる理由は、ＬＤＲ（Ｌｏｗ  ｄｙｎａｍｉｃ  Ｒａｎｇｅ）映像に比べて、ＨＤＲ映像では高輝度成分（明るい部分）の比重が相対的に高いためである。しかし、必要に応じて、低輝度成分（暗い部分）を判断基準として超高画質放送信号受信装置のディスプレイ環境を区分することができる。この場合、超高画質放送コンテンツで表現された最小基準明るさを示す最小基準明るさ情報（ｌｕｍｉｎａｎｃｅ＿ｍｉｎ）、超高画質放送コンテンツで表現された明るさ範囲のうち必ず表現されなければならない明るさ範囲の最小値を示す必須最小明るさ情報（ｌｕｍｉｎａｎｃｅ＿ｌｏｗｅｒ＿ｂｏｕｎｄ）及び超高画質放送信号受信装置のディスプレイで表現可能な明るさ範囲の最小値（ｍｉｎ＿ｄｉｓｐｌａｙ＿ｂｒｉｇｈｔｎｅｓｓ）が本発明の一実施例に係る受信装置のディスプレイ環境を区分する判断基準となり得る。
【００５２】
本発明の一実施例に係る受信装置のディスプレイ環境を区分するために用いられる判断基準は、後述する広域明るさ範囲メタデータに含ませて伝送することができる。
【００５３】
図３は、本発明の一実施例に係る超高画質放送コンテンツの映像処理過程を示した図である。
【００５４】
本発明の一実施例に係る超高画質放送コンテンツの映像処理過程は、ＥＯＴＦ遂行段階（Ｅｌｅｃｔｒｏ―Ｏｐｔｉｃａｌ  Ｔｒａｎｓｆｅｒ  Ｆｕｎｃｔｉｏｎ；Ｓ３０１０）、ディスプレイ明るさ範囲区分段階（Ｄｉｓｐｌａｙ  Ｄｙｎａｍｉｃ  Ｒａｎｇｅ  Ｃａｔｅｇｏｒｉｚａｔｉｏｎ；Ｓ３０２０）、コンテンツ変換段階（Ｄｉｓｐｌａｙ  Ａｄａｐｔｉｖｅ  Ｄｙｎａｍｉｃ  Ｒａｎｇｅ  ｔｒａｎｓｆｏｒｍａｔｉｏｎ；Ｓ３０３０）及び／または量子化段階（Ｑｕａｎｔｉｚａｔｉｏｎ；Ｓ３０４０）を含むことができる。
【００５５】
ＥＯＴＦ遂行段階（Ｅｌｅｃｔｒｏ―Ｏｐｔｉｃａｌ  Ｔｒａｎｓｆｅｒ  Ｆｕｎｃｔｉｏｎ；Ｓ３０１０）でデコーディングされた超高画質ビデオデータは、ＥＯＴＦ関数を用いて変換することができる。ＥＯＴＦ遂行に関する詳細な説明は、上述した本発明の一実施例に係る受信装置のＥＯＴＦ遂行部１０３０に対する説明で代用する。
【００５６】
ディスプレイ環境区分段階（Ｄｉｓｐｌａｙ  Ｄｙｎａｍｉｃ  Ｒａｎｇｅ  Ｃａｔｅｇｏｒｉｚａｔｉｏｎ；Ｓ３０２０）において、本発明の一実施例に係る受信装置のディスプレイ環境は、既に設定された判断基準に従って既存の明るさ範囲を有するディスプレイ（場合１）、既存の明るさ範囲より広い明るさ範囲を有するが、超高画質放送コンテンツで表現された明るさ範囲を全ては受容できないディスプレイ（場合２）、及び超高画質放送コンテンツで表現された明るさ範囲より広い範囲を表現できるディスプレイ（場合３）のうちいずれか一つに区分することができる。これに関する詳細な説明は、上述した本発明の一実施例に係る受信装置の区分部１０４０に対する説明で代用する。以下、本明細書では、区分された受信装置のディスプレイ環境（場合１、場合２、場合３）のそれぞれに対して、本発明の一実施例に係る受信装置の動作を区分して説明する。
【００５７】
コンテンツ変換段階（Ｄｉｓｐｌａｙ  Ａｄａｐｔｉｖｅ  Ｄｙｎａｍｉｃ  Ｒａｎｇｅ  ｔｒａｎｓｆｏｒｍａｔｉｏｎ；Ｓ３０３０）において、本発明の一実施例に係る受信装置の制御部は、受信装置のディスプレイ環境を考慮して受信された超高画質放送コンテンツの明るさ範囲（Ｄｙｎａｍｉｃ  Ｒａｎｇｅ；ＤＲ）を変換することができる。以下、ディスプレイ環境区分段階（Ｓ３０２０）で区分された受信装置のディスプレイ環境の各場合に対して区分して説明する。
【００５８】
本発明の一実施例に係る超高画質放送信号受信装置が、既存の明るさ範囲を有するディスプレイを有する場合（場合１）、ディスプレイの明るさ範囲（ＤＲ）がコンテンツの明るさ範囲（ＤＲ）を十分に受容できない場合に該当し得る。この場合、以下の各変換方法を通じて受信装置の特性を考慮して、製作者の意図によってコンテンツを変換することができる。
【００５９】
本発明の一実施例によると、超高画質放送コンテンツの変換のためにクリッピング（ｃｌｉｐｐｉｎｇ）オプションを使用することができる。クリッピングとは、一定成分以上または以下の明るさ成分に対してディスプレイしないように設定するオプションである。明るさ範囲（ＤＲ）上でコンテンツの明るさ成分が一定区間内に集中していると判断され、別途の変換を行わないことが受信装置のディスプレイで該当コンテンツを再生するのに最適な状況であると判断される場合、クリッピング方法を使用することができる。後述する広域明るさ範囲メタデータ（ＨＤＲ  ｍｅｔａｄａｔａ）に含まれたクリッピングフラグ情報（ｃｌｉｐｐｉｎｇ＿ｆｌａｇ）を１に指定することによって、クリッピングオプションが使用可能であることを示すことができる。クリッピングフラグ情報（ｃｌｉｐｐｉｎｇ＿ｆｌａｇ）が１を示す場合、受信装置のディスプレイで別途の変換なしで再生されることを望む領域の明るさに対するデジタル値であるクリッピング明るさ範囲情報（ｌｕｍａ＿ｃｌｉｐｉｎｇ＿ｕｐｐｅｒ＿ｂｏｕｎｄ、ｌｕｍａ＿ｃｌｉｐｐｉｎｇ＿ｌｏｗｅｒ＿ｂｏｕｎｄ）をシグナリングすることができる。クリッピング明るさ範囲情報は、後述する広域明るさ範囲メタデータに含ませて伝送することができる。クリッピングオプションは、クリッピングオプションの使用後にも、コンテンツ自体の飽和欠陥（ｓａｔｕｒａｔｉｏｎ  ａｒｔｉｆａｃｔ）による問題の発生が少なくなるという効果がある。また、超高画質放送コンテンツで表現しようとする明るさ範囲（ＤＲ）領域、すなわち、受信装置のディスプレイで別途の変換なしで再生されることを望む明るさ範囲領域（ｌｕｍａ＿ｃｌｉｐｉｎｇ＿ｕｐｐｅｒ＿ｂｏｕｎｄ、ｌｕｍａ＿ｃｌｉｐｐｉｎｇ＿ｌｏｗｅｒ＿ｂｏｕｎｄ）及びビット深度（ｂｉｔ  ｄｅｐｔｈ）が、現在の受信装置のディスプレイで明るさ範囲（ＤＲ）及びビット深度（ｂｉｔ  ｄｅｐｔｈ）と一致する場合、コンテンツの核心明るさ領域の情報を現在の受信装置のディスプレイで最大限に表現することができる。
【００６０】
本発明の一実施例によると、超高画質放送コンテンツの変換のために線形明るさ範囲変換（ｌｉｎｅａｒ  ｄｙｎａｍｉｃ  ｒａｎｇｅ  ｔｒａｎｓｆｏｒｍａｔｉｏｎ）方法を使用することができる。線形明るさ範囲変換とは、超高画質放送コンテンツ製作者によって予め定められた変換式を使用する方法の一つであって、コンテンツの全体明るさ範囲（ＤＲ）に対して線形マッピング（ｌｉｎｅａｒ  ｍａｐｐｉｎｇ）をする方法である。後述する広域明るさ範囲メタデータ（ＨＤＲ  ｍｅｔａｄａｔａ）に含まれた線形マッピングフラグ情報（ｌｉｎｅａｒ＿ｍａｐｐｉｎｇ＿ｆｌａｇ）を１に指定することによって、線形明るさ範囲変換方法が使用されることを示すことができる。また、後述する広域明るさ範囲メタデータ（ＨＤＲ  ｍｅｔａｄａｔａ）に含まれた必須最大明るさ情報と最大基準明るさ情報とを同一の値に設定し、必須最小明るさ情報と最小基準明るさ情報とを同一の値に設定した後、核心明るさ領域に使用される変換曲線の種類を識別する変換曲線タイプ情報を０ｘ００に設定することによって、線形明るさ範囲変換方法が使用されることを示すことができる。ここで、必須最大明るさ情報、最大基準明るさ情報、必須最小明るさ情報、最小基準明るさ情報、核心明るさ領域及び変換曲線タイプ情報に対しては、後で詳細に説明する。
【００６１】
本発明の一実施例によると、超高画質放送コンテンツの変換のために適応性明るさ範囲変換（ａｄａｐｔｉｖｅ  ｄｙｎａｍｉｃ  ｒａｎｇｅ  ｔｒａｎｓｆｏｒｍａｔｉｏｎ）方法を使用することができる。適応性明るさ範囲変換とは、超高画質放送コンテンツ製作者によって予め定められた変換式を区間によって異なる形に適用する方法である。本発明の一実施例に係る超高画質放送信号受信装置のディスプレイで表現される多様な明るさ範囲をサポートするために、超高画質放送コンテンツの明るさ範囲（ＤＲ）は三つの区間に区分することができる。超高画質放送コンテンツの明るさ範囲（ＤＲ）は、必須最小明るさ情報（ｌｕｍｉｎａｎｃｅ＿ｌｏｗｅｒ＿ｂｏｕｎｄ）と必須最大明るさ情報（ｌｕｍｉｎａｎｃｅ＿ｕｐｐｅｒ＿ｂｏｕｎｄ）との間の領域を示す核心明るさ範囲領域、必須最大明るさ情報（ｌｕｍｉｎａｎｃｅ＿ｕｐｐｅｒ＿ｂｏｕｎｄ）と最大基準明るさ情報（ｌｕｍｉｎａｎｃｅ＿ｍａｘ）との間の領域を示す上位明るさ範囲領域、及び最小基準明るさ情報（ｌｕｍｉｎａｎｃｅ＿ｍｉｎ）と必須最小明るさ情報（ｌｕｍｉｎａｎｃｅ＿ｌｏｗｅｒ＿ｂｏｕｎｄ）との間の領域を示す下位明るさ範囲領域に区分することができる。ここで、核心明るさ範囲領域は核心領域と略称し、上位明るさ範囲領域は上位領域と略称し、下位明るさ範囲領域は下位領域と略称することができる。区分された各区間が受信装置のディスプレイの明るさ範囲（ＤＲ）に占める比率を伝送することができる。核心明るさ範囲領域比率（ｍｉｄ＿ＤＲ＿ｐｅｒｃｅｎｔａｇｅ）及び上位明るさ範囲領域比率（ｕｐｐｅｒ＿ＤＲ＿ｐｅｒｃｅｎｔａｇｅ）が伝送されることによって、計算を通じてそれぞれのディスプレイに合う区間別の明るさを設定することができる。ここで、下位明るさ領域比率は、１００から核心明るさ範囲領域比率及び上位明るさ範囲領域比率を差し引くことによって計算することができる。本発明の一実施例に係る適応性明るさ範囲変換方法の変換過程に製作者の意図を反映するために、後述する広域明るさ範囲メタデータを通じてコンテンツの明るさ範囲の区分のための情報（ｌｕｍｉｎａｎｃｅ＿ｕｐｐｅｒ＿ｂｏｕｎｄ、ｌｕｍｉｎａｎｃｅ＿ｌｏｗｅｒ＿ｂｏｕｎｄ）、区分された各区間に対する情報（ｌｕｍａ＿ｕｐｐｅｒ＿ｖａｌｕｅ、ｌｕｍａ＿ｌｏｗｅｒ＿ｖａｌｕｅ）、及び区分された各区間に対する変換式に対する情報（ｍｉｄ＿ＤＲ＿ｔｒａｎｓｆｏｒｍａｔｉｏｎ＿ｃｕｒｖｅ＿ｔｙｐｅ、ｕｐｐｅｒ＿ＤＲ＿ｔｒａｎｓｆｏｒｍａｔｉｏｎ＿ｃｕｒｖｅ＿ｔｙｐｅ、ｌｏｗｅｒ＿ＤＲ＿ｔｒａｎｓｆｏｒｍａｔｉｏｎ＿ｃｕｒｖｅ＿ｔｙｐｅ）を伝送することができる。ここで、必須最小明るさ情報（ｌｕｍｉｎａｎｃｅ＿ｌｏｗｅｒ＿ｂｏｕｎｄ）、必須最大明るさ情報（ｌｕｍｉｎａｎｃｅ＿ｕｐｐｅｒ＿ｂｏｕｎｄ）、最大基準明るさ情報（ｌｕｍｉｎａｎｃｅ＿ｍａｘ）、最小明るさ情報（ｌｕｍｉｎａｎｃｅ＿ｌｏｗｅｒ＿ｂｏｕｎｄ）、核心明るさ範囲領域比率（ｍｉｄ＿ＤＲ＿ｐｅｒｃｅｎｔａｇｅ）、上位明るさ範囲領域比率（ｕｐｐｅｒ＿ＤＲ＿ｐｅｒｃｅｎｔａｇｅ）に対しては、後で詳細に説明する。
【００６２】
本発明の一実施例に係る超高画質放送信号受信装置が既存に比べて広い明るさ範囲（ＤＲ）を有するが、超高画質放送コンテンツの明るさ範囲（ＤＲ）を全ては受容できない場合（場合２）、以下の各変換方法を通じて受信装置の特性及び製作者の意図を考慮してコンテンツを変換することができる。
【００６３】
本発明の一実施例によると、超高画質放送信号受信装置が既存の明るさ範囲を有するディスプレイを有する場合（場合１）と同様に、超高画質放送コンテンツの変換のためにクリッピング（ｃｌｉｐｐｉｎｇ）オプションを使用することができる。これに対する説明は、上述した場合１のクリッピングに対する説明で代用する。
【００６４】
本発明の一実施例によると、超高画質放送信号受信装置が既存の明るさ範囲を有するディスプレイを有する場合（場合１）と同様に、超高画質放送コンテンツの変換のために線形明るさ範囲変換（ｌｉｎｅａｒ  ｄｙｎａｍｉｃ  ｒａｎｇｅ  ｔｒａｎｓｆｏｒｍａｔｉｏｎ）方法を使用することができる。これに対する説明は、上述した場合１の線形明るさ範囲変換方法に対する説明で代用する。さらに、超高画質放送信号受信装置が既存に比べて広い明るさ範囲（ＤＲ）を有するが、超高画質放送コンテンツの明るさ範囲（ＤＲ）を全ては受容できない場合（場合２）は、受信装置のディスプレイで表現可能な追加明るさ範囲（ＤＲ）考慮のための明るさ範囲の差の値（ｌｕｍｉｎａｎｃｅ＿ｕｐｐｅｒ＿ｂｏｕｎｄ＿ｄｉｆｆ［ｉ］）を伝送することによって線形明るさ範囲変換区間を定めることができる。ここで、追加明るさ範囲（ＤＲ）考慮のための明るさ範囲の差の値（ｌｕｍｉｎａｎｃｅ＿ｕｐｐｅｒ＿ｂｏｕｎｄ＿ｄｉｆｆ［ｉ］）は、後述する広域明るさ範囲メタデータに含ませて伝送することができる。
【００６５】
本発明の一実施例によると、超高画質放送信号受信装置が既存の明るさ範囲を有するディスプレイを有する場合（場合１）と同様に、超高画質放送コンテンツの変換のために適応性明るさ範囲変換（ａｄａｐｔｉｖｅ  ｄｙｎａｍｉｃ  ｒａｎｇｅ  ｔｒａｎｓｆｏｒｍａｔｉｏｎ）方法を使用することができる。これに対する説明は、上述した場合１の適応性明るさ範囲変換方法に対する説明で代用する。さらに、本発明の一実施例に係る超高画質放送信号受信装置が既存に比べて広い明るさ範囲（ＤＲ）を有するが、超高画質放送コンテンツの明るさ範囲（ＤＲ）を全ては受容できない場合（場合２）の適応性明るさ範囲変換方法は、既存の明るさ範囲を有する場合１に比べて追加された明るさ範囲（ＤＲ）をうまく活用できる方法である。追加領域差情報（ｌｕｍｉｎａｎｃｅ＿ｕｐｐｅｒ＿ｂｏｕｎｄ＿ｄｉｆｆ［ｉ］）、変更核心明るさ範囲領域比率情報（ｍｉｄ＿ＤＲ＿ｐｅｒｃｅｎｔａｇｅ［ｉ］）及び変更上位明るさ範囲領域比率情報（ｕｐｐｅｒ＿ＤＲ＿ｐｅｒｃｅｎｔａｇｅ［ｉ］）を使用してコンテンツで表現された明るさ範囲の各区間別の明るさ範囲（ＤＲ）の変換程度を調節することができる。
【００６６】
ｍａｘ＿ｄｉｓｐｌａｙ＿ｂｒｉｇｈｔｎｅｓｓ＜ｌｕｍｉｎａｎｃｅ＿ｕｐｐｅｒ＿ｂｏｕｎｄ＋ｌｕｍｉｎａｎｃｅ＿ｕｐｐｅｒ＿ｂｏｕｎｄ＿ｄｉｆｆ［０］＋・・・＋ｌｕｍｉｎａｎｃｅ＿ｕｐｐｅｒ＿ｂｏｕｎｄ＿ｄｉｆｆ［ｉ］
を満足する場合、すなわち、超高画質放送信号受信装置のディスプレイで表現可能な明るさ範囲の最大値（ｍａｘ＿ｄｉｓｐｌａｙ＿ｂｒｉｇｈｔｎｅｓｓ）が、必須最大明るさ情報（ｌｕｍｉｎａｎｃｅ＿ｕｐｐｅｒ＿ｂｏｕｎｄ）に追加領域差情報（ｌｕｍｉｎａｎｃｅ＿ｕｐｐｅｒ＿ｂｏｕｎｄ＿ｄｉｆｆ［ｉ］）を足した値より小さい場合は、核心明るさ範囲領域及び／または上位明るさ範囲領域を変更することができ、これによって、変更された領域に適用される変換曲線も変更されるので、後述する変更上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ［ｉ］）、変更上位領域変換曲線細部情報（ｕｐｐｅｒ＿ＤＲ＿ｔｒａｎｓｆｏｒｍａｔｉｏｎ＿ｃｕｒｖｅ（））、変更上位明るさ範囲領域比率情報（ｕｐｐｅｒ＿ＤＲ＿ｐｅｒｃｅｎｔａｇｅ［ｉ］）及び／または変更核心明るさ範囲領域比率情報（ｍｉｄ＿ＤＲ＿ｐｅｒｃｅｎｔａｇｅ［ｉ］）を新たに適用することができる。上述した追加領域差情報、変更上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ［ｉ］）、変更上位領域変換曲線細部情報（ｕｐｐｅｒ＿ＤＲ＿ｔｒａｎｓｆｏｒｍａｔｉｏｎ＿ｃｕｒｖｅ（））、変更上位明るさ範囲領域比率情報（ｕｐｐｅｒ＿ＤＲ＿ｐｅｒｃｅｎｔａｇｅ［ｉ］）及び／または変更核心明るさ範囲領域比率情報（ｍｉｄ＿ＤＲ＿ｐｅｒｃｅｎｔａｇｅ［ｉ］）に対しては、後で詳細に説明する。
【００６７】
本発明の一実施例に係る超高画質放送信号受信装置が既存に比べて広い明るさ範囲（ＤＲ）を有するが、超高画質放送コンテンツの明るさ範囲（ＤＲ）を全ては受容できない場合（場合２）、一般ディスプレイの既存の明るさ範囲と比較すると、追加された明るさ範囲（ＤＲ）によって全体の出力明るさ範囲（ｏｕｔｐｕｔ  ｄｙｎａｍｉｃ  ｒａｎｇｅ）が増加するようになるが、このとき、変更核心明るさ範囲領域比率情報（ｍｉｄ＿ＤＲ＿ｐｅｒｃｅｎｔａｇｅ［ｉ］）の比率が、変更上位明るさ範囲領域比率情報（ｕｐｐｅｒ＿ＤＲ＿ｐｅｒｃｅｎｔａｇｅ［ｉ］）に比べて、占める比重が既存と類似する場合は、中間明るさ領域情報を詳細に示すことを意味することができ、変更上位明るさ範囲領域比率情報（ｕｐｐｅｒ＿ＤＲ＿ｐｅｒｃｅｎｔａｇｅ［ｉ］）の比重が増加する場合は、高輝度成分に対する明るさ情報をより詳細に示すことを意味することができる。
【００６８】
本発明の一実施例に係る超高画質放送信号受信装置のディスプレイの明るさ範囲（ＤＲ）が超高画質放送コンテンツの明るさ範囲（ＤＲ）を十分に受容する場合（場合３）は、超高画質放送コンテンツを別途の変換過程なしでそのまま再生させることができる。
【００６９】
量子化段階（Ｑｕａｎｔｉｚａｔｉｏｎ；Ｓ３０４０）では、本発明の一実施例に係る受信装置のディスプレイに適した明るさ範囲を有するように変換された超高画質放送コンテンツをディスプレイのビット深度（ｂｉｔ  ｄｅｐｔｈ）に合うように量子化（ｑｕａｎｔｉｚａｔｉｏｎ）することができる。
【００７０】
本発明の一実施例に係る超高画質放送コンテンツの映像処理過程は、ディスプレイ環境調整段階（Ｄｉｓｐｌａｙ  ｃｈａｒａｃｔｅｒｉｓｔｉｃｓ  ａｄｊｕｓｔｍｅｎｔ）及び／または再生段階（Ｄｉｓｐｌａｙ）をさらに含むことができる。ディスプレイ環境調整段階（Ｄｉｓｐｌａｙ  ｃｈａｒａｃｔｅｒｉｓｔｉｃｓ  ａｄｊｕｓｔｍｅｎｔ）では、超高画質放送コンテンツ製作者が意図したディスプレイ環境に適するように受信装置のディスプレイ環境を調整することができる。メタデータを通じてコンテンツ製作者が意図したディスプレイ環境に対する情報を提供することができ、これを用いて、本発明の一実施例に係る超高画質放送信号受信装置はディスプレイ環境を調整することができる。再生段階（Ｄｉｓｐｌａｙ）では、超高画質放送コンテンツの製作者の意図及び受信装置のディスプレイ特性に合わせて明るさ範囲（ＤＲ）が変換されたコンテンツを視聴者に提供することができる。本発明の一実施例に係る超高画質放送信号受信装置のディスプレイの明るさ範囲（ＤＲ）が超高画質放送コンテンツの明るさ範囲（ＤＲ）を十分に受容する場合（場合３）は、別途の変換なしで元のコンテンツを視聴者に提供することができる。
【００７１】
図４は、本発明の一実施例に係るクリッピング（ｃｌｉｐｐｉｎｇ）オプションと線形明るさ範囲変換（ｌｉｎｅａｒ  ｄｙｎａｍｉｃ  ｒａｎｇｅ  ｔｒａｎｓｆｏｒｍａｔｉｏｎ）方法を示した図である。
【００７２】
当該図面において、ｘ軸は、本発明の一実施例に係る超高画質放送コンテンツの明るさ範囲を示すことができ、ｙ軸は、本発明の一実施例に係る超高画質放送信号受信装置のディスプレイで表現可能な明るさ範囲（ＤＲ）を示すことができる。入力明るさ範囲（Ｉｎｐｕｔ  ｄｙｎａｍｉｃ  ｒａｎｇｅ）は、明るさ範囲の変換前のコンテンツの明るさ範囲になり、出力明るさ範囲（Ｏｕｔｐｕｔ  ｄｙｎａｍｉｃ  ｒａｎｇｅ）は、受信装置のディスプレイで表現可能な明るさ範囲に合わせて変換されたコンテンツの明るさ範囲になり得る。
【００７３】
当該図面に示した二つの変換曲線のうち勾配がより大きい曲線は、クリッピングオプションが使用された状況を示すことができ、勾配がより小さい曲線は、線形明るさ範囲変換（ｌｉｎｅａｒ  ｄｙｎａｍｉｃ  ｒａｎｇｅ  ｔｒａｎｓｆｏｒｍａｔｉｏｎ）方法が使用された状況を示すことができる。
【００７４】
図５は、本発明の一実施例に係る広域明るさ範囲メタデータを通じて伝送される変換曲線（ｔｒａｎｓｆｏｒｍａｔｉｏｎ  ｃｕｒｖｅ）の種類を示した図である。
【００７５】
本発明の一実施例によると、超高画質放送信号受信装置のディスプレイ環境に適するように超高画質放送コンテンツを変換する過程で、製作者によって予め選択された特定の変換式を使用することができる。コンテンツの変換に使用される変換式には、当該図面に示したように、線形曲線（ｌｉｎｅａｒ  ｃｕｒｖｅ）、指数曲線（ｅｘｐｏｎｅｎｔｉａｌ  ｃｕｒｖｅ）、Ｓ曲線（ｓ  ｃｕｒｖｅ）、対数曲線（ｌｏｇａｒｉｔｈｍｉｃ  ｃｕｒｖｅ）、多くの曲線が組み合わされた曲線（ｃｏｍｂｉｎａｔｉｏｎ  ｃｕｒｖｅ）及びＬＵＴ（Ｌｏｏｋ  Ｕｐ  Ｔａｂｌｅ）を使用することができ、製作者によって選択された最適な変換曲線は、後述する広域明るさ範囲メタデータに含まれた核心領域変換曲線細部情報（ｍｉｄ＿ＤＲ＿ｔｒａｎｓｆｏｒｍａｔｉｏｎ＿ｃｕｒｖｅ（））、上位領域変換曲線細部情報（ｕｐｐｅｒ＿ＤＲ＿ｔｒａｎｓｆｏｒｍａｔｉｏｎ＿ｃｕｒｖｅ（））、下位領域変換曲線細部情報（ｌｏｗｅｒ＿ＤＲ＿ｔｒａｎｓｆｏｒｍａｔｉｏｎ＿ｃｕｒｖｅ（））を通じて伝送することができる。
【００７６】
図６は、本発明の一実施例に係る超高画質放送信号受信装置のディスプレイの区分による適応性明るさ範囲変換（ａｄａｐｔｉｖｅ  ｄｙｎａｍｉｃ  ｒａｎｇｅ  ｔｒａｎｓｆｏｒｍａｔｉｏｎ）方法を示した図である。
【００７７】
本発明の一実施例に係る超高画質放送信号受信装置のディスプレイ環境は、既に設定された判断基準に従って区分することができる。超高画質放送信号受信装置のディスプレイ環境は、既存の明るさ範囲を有するディスプレイ（場合１）、既存の明るさ範囲より広い明るさ範囲を有するが、超高画質放送コンテンツで表現された明るさ範囲を全ては受容できないディスプレイ（場合２）、及び超高画質放送コンテンツで表現された明るさ範囲より広い範囲を表現できるディスプレイ（場合３）のうちいずれか一つに区分することができる。ディスプレイ環境の区分に対する詳細な説明は、上述した超高画質放送信号受信装置の区分部に対する説明で代用する。
【００７８】
当該図面において、ｘ軸は、入力明るさ範囲（Ｉｎｐｕｔ  ｄｙｎａｍｉｃ  ｒａｎｇｅ）を示し、ｙ軸は、出力明るさ範囲（Ｏｕｔｐｕｔ  ｄｙｎａｍｉｃ  ｒａｎｇｅ）を示すことができる。入力明るさ範囲（Ｉｎｐｕｔ  ｄｙｎａｍｉｃ  ｒａｎｇｅ）に超高画質放送コンテンツの明るさ範囲（ＤＲ）が入力されると、変換過程を経て出力明るさ範囲（Ｏｕｔｐｕｔ  ｄｙｎａｍｉｃ  ｒａｎｇｅ）として超高画質放送信号受信装置のディスプレイの明るさ範囲（ＤＲ）を出力することができる。
【００７９】
当該図面に示した、必須最小明るさ情報（ｌｕｍｉｎａｎｃｅ＿ｌｏｗｅｒ＿ｂｏｕｎｄ）は、超高画質放送コンテンツで表現された明るさ範囲のうち必ず表現されなければならない明るさ範囲の最小値を示すことができる。必須最大明るさ情報（ｌｕｍｉｎａｎｃｅ＿ｕｐｐｅｒ＿ｂｏｕｎｄ）は、超高画質放送コンテンツで表現された明るさ範囲のうち必ず表現されなければならない明るさ範囲の最大値を示すことができる。必須最大明るさ情報（ｌｕｍｉｎａｎｃｅ＿ｕｐｐｅｒ＿ｂｏｕｎｄ）が示す値に追加される値を示す必須最大明るさ差情報（ｌｕｍｉｎａｎｃｅ＿ｕｐｐｅｒ＿ｂｏｕｎｄ＿ｄｉｆｆ）は、既存の明るさ範囲より広い明るさ範囲を有するが、超高画質放送コンテンツで表現された明るさ範囲を全ては受容できないディスプレイ（場合２）に適するように超高画質放送コンテンツを変換する場合、コンテンツの核心明るさ範囲領域を拡張するために用いることができる。すなわち、場合２において、超高画質放送コンテンツの核心明るさ範囲領域は、必須最大明るさ差情報（ｌｕｍｉｎａｎｃｅ＿ｕｐｐｅｒ＿ｂｏｕｎｄ＿ｄｉｆｆ）が示す値だけ拡張することができる。結果的に、場合２において、核心明るさ範囲領域は、必須最小明るさ情報（ｌｕｍｉｎａｎｃｅ＿ｌｏｗｅｒ＿ｂｏｕｎｄ）が示す値と、必須最大明るさ情報（ｌｕｍｉｎａｎｃｅ＿ｕｐｐｅｒ＿ｂｏｕｎｄ）が示す値に必須最大明るさ差情報（ｌｕｍｉｎａｎｃｅ＿ｕｐｐｅｒ＿ｂｏｕｎｄ＿ｄｉｆｆ）が示す値を足した値との間の領域を示すことができる。最大基準明るさ情報（ｌｕｍｉｎａｎｃｅ＿ｍａｘ）は、超高画質放送コンテンツで表現された最大基準明るさを示すことができ、最小基準明るさ情報（ｌｕｍｉｎａｎｃｅ＿ｍｉｎ）は、超高画質放送コンテンツで表現された最小基準明るさを示すことができ、最小基準明るさ情報は、当該図面に示していないが、グラフで原点位置の値を示すことができる。
【００８０】
当該図面を見ると、本発明の一実施例による場合３のディスプレイでは、超高画質放送コンテンツで表現された明るさ範囲より広い範囲を表現できるので、入力明るさ範囲の全区間に対して勾配が１である線形変換曲線を用いることができる。本発明の一実施例に係る場合２のディスプレイの場合、拡張された核心明るさ範囲領域では線形変換曲線が使用されたが、下位明るさ範囲領域及び必須最大明るさ差情報（ｌｕｍｉｎａｎｃｅ＿ｕｐｐｅｒ＿ｂｏｕｎｄ＿ｄｉｆｆ）によって変更された上位明るさ範囲領域では、それぞれ指数曲線、対数曲線を使用することができる。本発明の一実施例に係る場合１のディスプレイの場合、核心明るさ範囲領域では線形曲線を使用することができ、下位明るさ範囲領域及び上位明るさ範囲領域ではそれぞれ指数曲線、対数曲線を使用することができる。当該図面において、入力明るさ範囲の各領域で使用される変換曲線としては、線形曲線（ｌｉｎｅａｒ  ｃｕｒｖｅ）、指数曲線（ｅｘｐｏｎｅｎｔｉａｌ  ｃｕｒｖｅ）、Ｓ曲線（ｓ  ｃｕｒｖｅ）、対数曲線（ｌｏｇａｒｉｔｈｍｉｃ  ｃｕｒｖｅ）、多くの曲線が組み合わされた曲線（ｃｏｍｂｉｎａｔｉｏｎ  ｃｕｒｖｅ）及びＬＵＴ（Ｌｏｏｋ  Ｕｐ  Ｔａｂｌｅ）のうちいずれか一つを使用することができる。ここで、核心明るさ範囲領域、下位明るさ範囲領域及び上位明るさ範囲領域に対する詳細な説明は、上述した超高画質放送コンテンツの映像処理過程を示した図面に対する説明で代用する。
【００８１】
図７は、本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）の構造を示した図である。
【００８２】
本発明の一実施例に係る広域明るさ範囲メタデータ（Ｄｙｎａｍｉｃ  ｒａｎｇｅ  ｔｒａｎｓｆｏｒｍａｔｉｏｎ  ｉｎｆｏ（ｐａｙｌｏａｄＳｉｚｅ））は、ＳＥＩメッセージを伝送するパケットのペイロードに含ませて伝送することができる。
【００８３】
図８は、本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）に含まれて伝送される広域明るさ範囲メタデータ（Ｄｙｎａｍｉｃ  ｒａｎｇｅ  ｔｒａｎｓｆｏｒｍａｔｉｏｎ  ｉｎｆｏ（ｐａｙｌｏａｄＳｉｚｅ））を示した図である。
【００８４】
本発明の一実施例に係る広域明るさ範囲メタデータ（Ｈｉｇｈ  Ｄｙｎａｍｉｃ  Ｒａｎｇｅ  ｍｅｔａｄａｔａ；ＨＤＲ  ｍｅｔａｄａｔａ）は、超高画質放送コンテンツで表現された明るさ情報と、超高画質放送信号受信装置のディスプレイ環境に適するように超高画質放送コンテンツを変換する方法に対する情報を示すメタデータを示す。上述した広域明るさ範囲メタデータは、Ｄｙｎａｍｉｃ  ｒａｎｇｅ  ｔｒａｎｓｆｏｒｍａｔｉｏｎ  ｉｎｆｏｒｍａｔｉｏｎ、Ｄｙｎａｍｉｃ  ｒａｎｇｅ  ｔｒａｎｓｆｏｒｍａｔｉｏｎ  ｉｎｆｏ（ｐａｙｌｏａｄＳｉｚｅ）またはｄｙｎａｍｉｃ＿ｒａｎｇｅ＿ｔｒａｎｓｆｏｒｍａｔｉｏｎ＿ｍｅｔａｄａｔａ（）と命名及び表記することができる。
【００８５】
本発明の一実施例に係る広域明るさ範囲メタデータは、最大基準明るさ情報（ｌｕｍｉｎａｎｃｅ＿ｍａｘ）、最小基準明るさ情報（ｌｕｍｉｎａｎｃｅ＿ｍｉｎ）、任意のＥＯＴＦ情報（ｐｒｉｖａｔｅ＿ＥＯＴＦ）、ＥＯＴＦ係数個数情報（ｎｕｍｂｅｒ＿ｏｆ＿ｃｏｅｆｆ）、ＥＯＴＦ係数情報（ｔｒａｎｓｆｅｒ＿ｃｕｒｖｅ＿ｃｏｅｆｆ［ｉ］）、クリッピングフラグ情報（ｃｌｉｐｐｉｎｇ＿ｆｌａｇ）、線形マッピングフラグ情報（ｌｉｎｅａｒ＿ｍａｐｐｉｎｇ＿ｆｌａｇ）、クリッピング最大明るさ範囲情報（ｌｕｍａ＿ｃｌｉｐｐｉｎｇ＿ｕｐｐｅｒ＿ｂｏｕｎｄ）、クリッピング最小明るさ範囲情報（ｌｕｍａ＿ｃｌｉｐｐｉｎｇ＿ｌｏｗｅｒ＿ｂｏｕｎｄ）、必須最大明るさ情報（ｌｕｍｉｎａｎｃｅ＿ｕｐｐｅｒ＿ｂｏｕｎｄ）、必須最小明るさ情報（ｌｕｍｉｎａｎｃｅ＿ｌｏｗｅｒ＿ｂｏｕｎｄ）、必須最大明るさデジタル値（ｌｕｍａ＿ｕｐｐｅｒ＿ｖａｌｕｅ）、必須最小明るさデジタル値（ｌｕｍａ＿ｌｏｗｅｒ＿ｖａｌｕｅ）、核心領域変換曲線タイプ情報（ｍｉｄ＿ＤＲ＿ｔｒａｎｓｆｏｒｍａｔｉｏｎ＿ｃｕｒｖｅ＿ｔｙｐｅ）、核心領域変換曲線細部情報（ｍｉｄ＿ＤＲ＿ｔｒａｎｓｆｏｒｍａｔｉｏｎ＿ｃｕｒｖｅ（））、核心明るさ範囲領域比率情報（ｍｉｄ＿ＤＲ＿ｐｅｒｃｅｎｔａｇｅ）、上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ）、上位領域変換曲線細部情報（ｕｐｐｅｒ＿ＤＲ＿ｔｒａｎｓｆｏｒｍａｔｉｏｎ＿ｃｕｒｖｅ（））、上位明るさ範囲領域比率情報（ｕｐｐｅｒ＿ＤＲ＿ｐｅｒｃｅｎｔａｇｅ）、下位領域変換曲線タイプ情報（ｌｏｗｅｒ＿ＤＲ＿ｔｒａｎｓｆｏｒｍａｔｉｏｎ＿ｃｕｒｖｅ＿ｔｙｐｅ）、下位領域変換曲線細部情報（ｌｏｗｅｒ＿ＤＲ＿ｔｒａｎｓｆｏｒｍａｔｉｏｎ＿ｃｕｒｖｅ（））、追加領域個数情報（ｎｕｍｂｅｒ＿ｌｕｍｉｎａｎｃｅ＿ｕｐｐｅｒ＿ｂｏｕｎｄ＿ｄｉｆｆ）、追加領域差情報（ｌｕｍｉｎａｎｃｅ＿ｕｐｐｅｒ＿ｂｏｕｎｄ＿ｄｉｆｆ［ｉ］）、追加領域差デジタル値（ｌｕｍａ＿ｕｐｐｅｒ＿ｖａｌｕｅ＿ｄｉｆｆ［ｉ］）、変更上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ［ｉ］）、変更上位領域変換曲線細部情報（ｕｐｐｅｒ＿ＤＲ＿ｔｒａｎｓｆｏｒｍａｔｉｏｎ＿ｃｕｒｖｅ（））、変更上位明るさ範囲領域比率情報（ｕｐｐｅｒ＿ＤＲ＿ｐｅｒｃｅｎｔａｇｅ［ｉ］）及び／または変更核心明るさ範囲領域比率情報（ｍｉｄ＿ＤＲ＿ｐｅｒｃｅｎｔａｇｅ［ｉ］）を含むことができる。
【００８６】
最大基準明るさ情報（ｌｕｍｉｎａｎｃｅ＿ｍａｘ）は、超高画質放送コンテンツで表現された最大基準明るさを示す。すなわち、明るさ範囲（ＤＲ）の最大値を示す。例えば、参照モニター（ｒｅｆｅｒｅｎｃｅ  ｍｏｎｉｔｏｒ）の場合、１００ｃｄ／ｍ^２を最大基準明るさと定めており、この場合、一般的な範囲を考慮して前記値を１００（１０進数）で割った商である１が伝送され得る。
【００８７】
最小基準明るさ情報（ｌｕｍｉｎａｎｃｅ＿ｍｉｎ）は、超高画質放送コンテンツで表現された最小基準明るさを示す。すなわち、明るさ範囲（ＤＲ）の最小値を示す。例えば、参照モニター（ｒｅｆｅｒｅｎｃｅ  ｍｏｎｉｔｏｒ）の場合、０．０５ｃｄ／ｍ^２を最小基準明るさと定めており、この場合、一般的な範囲を考慮して前記値に１００（１０進数）を掛けた値である５が伝送され得る。
【００８８】
任意のＥＯＴＦ情報（ｐｒｉｖａｔｅ＿ＥＯＴＦ）は、任意のＥＯＴＦ関数が使用されるか否かを示す。一般に、ＩＴＵ―Ｒ  ＢＴ．１８８６、ＲＥＣ．７０９、ＢＴ．２０２０などのように広く使用されるＥＯＴＦが使用される場合は、ＶＵＩ情報によって伝達することができる。しかし、未だに標準として定められていないＥＯＴＦが使用される場合、当該フィールド値を１に設定して示すことができる。例えば、標準として定められていないＥＯＴＦ、すなわち、任意のＥＯＴＦとして知覚的量子化（ｐｅｒｃｅｐｔｕａｌ  ｑｕａｎｔｉｚａｔｉｏｎ）を使用することができる。
【００８９】
ＥＯＴＦ係数個数情報（ｎｕｍｂｅｒ＿ｏｆ＿ｃｏｅｆｆ）は、任意のＥＯＴＦに使用された係数の個数を示す。
【００９０】
ＥＯＴＦ係数情報（ｔｒａｎｓｆｅｒ＿ｃｕｒｖｅ＿ｃｏｅｆｆ［ｉ］）は、任意のＥＯＴＦに使用された係数を示す。
【００９１】
クリッピングフラグ情報（ｃｌｉｐｐｉｎｇ＿ｆｌａｇ）は、クリッピングオプションが使用されるか否かを示す情報であって、クリッピングオプションの使用が許容される場合、１の値を有することができる。
【００９２】
線形マッピングフラグ情報（ｌｉｎｅａｒ＿ｍａｐｐｉｎｇ＿ｆｌａｇ）は、線形明るさ範囲変換（ｌｉｎｅａｒ  ｄｙｎａｍｉｃ  ｒａｎｇｅ  ｔｒａｎｓｆｏｒｍａｔｉｏｎ）方法の使用有無を示す。線形明るさ範囲変換（ｌｉｎｅａｒ  ｄｙｎａｍｉｃ  ｒａｎｇｅ  ｔｒａｎｓｆｏｒｍａｔｉｏｎ）方法が使用される場合、１の値を有する。
【００９３】
クリッピング最大明るさ範囲情報（ｌｕｍａ＿ｃｌｉｐｐｉｎｇ＿ｕｐｐｅｒ＿ｂｏｕｎｄ）は、クリッピングオプションが使用される場合にディスプレイされる明るさ範囲（ＤＲ）で上位臨界点に対するデジタル値（ｄｉｇｔａｌ  ｖａｌｕｅ）を示す。
【００９４】
クリッピング最小明るさ範囲情報（ｌｕｍａ＿ｃｌｉｐｐｉｎｇ＿ｌｏｗｅｒ＿ｂｏｕｎｄ）は、クリッピングオプションが使用される場合にディスプレイされる明るさ範囲（ＤＲ）で下位臨界点に対するデジタル値（ｄｉｇｔａｌ  ｖａｌｕｅ）を示す。
【００９５】
必須最大明るさ情報（ｌｕｍｉｎａｎｃｅ＿ｕｐｐｅｒ＿ｂｏｕｎｄ）は、超高画質放送コンテンツで表現された明るさ範囲のうち必ず表現されなければならない明るさ範囲の最大値（ｎｉｔ単位）を示す。必須最大明るさ情報は、受信装置のディスプレイの種類を判断する基準になり得る。また、受信装置のディスプレイの種類を判断する別途の基準をシグナリングすることができる。
【００９６】
必須最小明るさ情報（ｌｕｍｉｎａｎｃｅ＿ｌｏｗｅｒ＿ｂｏｕｎｄ）は、超高画質放送コンテンツで表現された明るさ範囲のうち必ず表現されなければならない明るさ範囲の最小値（ｎｉｔ単位）を示す。必須最小明るさ情報は、受信装置のディスプレイの種類を判断する基準になり得る。また、受信装置のディスプレイの種類を判断する別途の基準をシグナリングすることができる。
【００９７】
必須最大明るさデジタル値（ｌｕｍａ＿ｕｐｐｅｒ＿ｖａｌｕｅ）は、必須最大明るさ情報（ｌｕｍｉｎａｎｃｅ＿ｕｐｐｅｒ＿ｂｏｕｎｄ）に該当するデジタル値（ｄｉｇｉｔａｌ  ｖａｌｕｅ）を示す。
【００９８】
必須最小明るさデジタル値（ｌｕｍａ＿ｌｏｗｅｒ＿ｖａｌｕｅ）は、必須最小明るさ情報（ｌｕｍｉｎａｎｃｅ＿ｌｏｗｅｒ＿ｂｏｕｎｄ）に該当するデジタル値（ｄｉｇｉｔａｌ  ｖａｌｕｅ）を示す。
【００９９】
核心領域変換曲線タイプ情報（ｍｉｄ＿ＤＲ＿ｔｒａｎｓｆｏｒｍａｔｉｏｎ＿ｃｕｒｖｅ＿ｔｙｐｅ）は、核心明るさ範囲領域で使用される明るさ範囲変換曲線を識別する。変換曲線は、線形曲線（ｌｉｎｅａｒ  ｃｕｒｖｅ）、指数曲線（ｅｘｐｏｎｅｎｔｉａｌ  ｃｕｒｖｅ）、Ｓ曲線（ｓ  ｃｕｒｖｅ）、対数曲線（ｌｏｇａｒｉｔｈｍｉｃ  ｃｕｒｖｅ）、多くの曲線が組み合わされた曲線（ｃｏｍｂｉｎａｔｉｏｎ  ｃｕｒｖｅ）及びＬＵＴ（Ｌｏｏｋ  Ｕｐ  Ｔａｂｌｅ）のうちいずれか一つを使用することができる。
【０１００】
核心領域変換曲線細部情報（ｍｉｄ＿ＤＲ＿ｔｒａｎｓｆｏｒｍａｔｉｏｎ＿ｃｕｒｖｅ（））は、核心領域変換曲線タイプ情報（ｍｉｄ＿ＤＲ＿ｔｒａｎｓｆｏｒｍａｔｉｏｎ＿ｃｕｒｖｅ＿ｔｙｐｅ）によって識別された変換曲線に応じた追加情報を示す。例えば、線形曲線（ｌｉｎｅａｒ  ｃｕｒｖｅ）が使用される場合、勾配情報を伝送することができ、指数曲線（ｅｘｐｏｎｅｎｔｉａｌ  ｃｕｒｖｅ）や対数曲線（ｌｏｇａｒｉｔｈｍｉｃ  ｃｕｒｖｅ）が使用される場合、底に対する情報を伝送することができ、Ｓ曲線（ｓ  ｃｕｒｖｅ）が使用される場合、変曲点の座標及び各区間に対する底とｙ切片に対する情報を伝送することができ、多くの曲線が組み合わされた曲線（ｃｏｍｂｉｎａｔｉｏｎ  ｃｕｒｖｅ）が使用される場合、各区間のｘ座標、各区間の曲線種類及び当該グラフに対する情報を伝送することができる。
【０１０１】
核心明るさ範囲領域比率情報（ｍｉｄ＿ＤＲ＿ｐｅｒｃｅｎｔａｇｅ）は、超高画質放送コンテンツの明るさ範囲のうち核心明るさ範囲領域が受信装置のディスプレイの全体明るさ範囲（ＤＲ）に占める比率を示す。
【０１０２】
上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ）は、上位明るさ範囲領域で使用される明るさ範囲変換曲線を識別する。変換曲線は、線形曲線（ｌｉｎｅａｒ  ｃｕｒｖｅ）、指数曲線（ｅｘｐｏｎｅｎｔｉａｌ  ｃｕｒｖｅ）、Ｓ曲線（ｓ  ｃｕｒｖｅ）、対数曲線（ｌｏｇａｒｉｔｈｍｉｃ  ｃｕｒｖｅ）、多くの曲線が組み合わされた曲線（ｃｏｍｂｉｎａｔｉｏｎ  ｃｕｒｖｅ）及びＬＵＴ（Ｌｏｏｋ  Ｕｐ  Ｔａｂｌｅ）のうちいずれか一つを使用することができる。
【０１０３】
上位領域変換曲線細部情報（ｕｐｐｅｒ＿ＤＲ＿ｔｒａｎｓｆｏｒｍａｔｉｏｎ＿ｃｕｒｖｅ（））は、上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ）によって識別された変換曲線に応じた追加情報を示す。例えば、線形曲線（ｌｉｎｅａｒ  ｃｕｒｖｅ）が使用される場合、勾配情報を伝送することができ、指数曲線（ｅｘｐｏｎｅｎｔｉａｌ  ｃｕｒｖｅ）や対数曲線（ｌｏｇａｒｉｔｈｍｉｃ  ｃｕｒｖｅ）が使用される場合、底に対する情報を伝送することができ、Ｓ曲線（ｓ  ｃｕｒｖｅ）が使用される場合、変曲点の座標及び各区間に対する底とｙ切片に対する情報を伝送することができ、多くの曲線が組み合わされた曲線（ｃｏｍｂｉｎａｔｉｏｎ  ｃｕｒｖｅ）が使用される場合、各区間のｘ座標、各区間の曲線種類及び当該グラフに対する情報を伝送することができる。
【０１０４】
上位明るさ範囲領域比率情報（ｕｐｐｅｒ＿ＤＲ＿ｐｅｒｃｅｎｔａｇｅ）は、超高画質放送コンテンツの明るさ範囲のうち上位明るさ範囲領域が受信装置のディスプレイの全体明るさ範囲（ＤＲ）に占める比率を示す。
【０１０５】
下位領域変換曲線タイプ情報（ｌｏｗｅｒ＿ＤＲ＿ｔｒａｎｓｆｏｒｍａｔｉｏｎ＿ｃｕｒｖｅ＿ｔｙｐｅ）は、下位明るさ範囲領域で使用される明るさ範囲変換曲線を識別する。変換曲線は、線形曲線（ｌｉｎｅａｒ  ｃｕｒｖｅ）、指数曲線（ｅｘｐｏｎｅｎｔｉａｌ  ｃｕｒｖｅ）、Ｓ曲線（ｓ  ｃｕｒｖｅ）、対数曲線（ｌｏｇａｒｉｔｈｍｉｃ  ｃｕｒｖｅ）、多くの曲線が組み合わされた曲線（ｃｏｍｂｉｎａｔｉｏｎ  ｃｕｒｖｅ）及びＬＵＴ（Ｌｏｏｋ  Ｕｐ  Ｔａｂｌｅ）のうちいずれか一つを使用することができる。
【０１０６】
下位領域変換曲線細部情報（ｌｏｗｅｒ＿ＤＲ＿ｔｒａｎｓｆｏｒｍａｔｉｏｎ＿ｃｕｒｖｅ（））は、下位領域変換曲線タイプ情報（ｌｏｗｅｒ＿ＤＲ＿ｔｒａｎｓｆｏｒｍａｔｉｏｎ＿ｃｕｒｖｅ＿ｔｙｐｅ）によって識別された変換曲線に応じた追加情報を示す。例えば、線形曲線（ｌｉｎｅａｒ  ｃｕｒｖｅ）が使用される場合、勾配情報を伝送することができ、指数曲線（ｅｘｐｏｎｅｎｔｉａｌ  ｃｕｒｖｅ）や対数曲線（ｌｏｇａｒｉｔｈｍｉｃ  ｃｕｒｖｅ）が使用される場合、底に対する情報を伝送することができ、Ｓ曲線（ｓ  ｃｕｒｖｅ）が使用される場合、変曲点の座標及び各区間に対する底とｙ切片に対する情報を伝送することができ、多くの曲線が組み合わされた曲線（ｃｏｍｂｉｎａｔｉｏｎ  ｃｕｒｖｅ）が使用される場合、各区間のｘ座標、各区間の曲線種類及び当該グラフに対する情報を伝送することができる。
【０１０７】
追加領域個数情報（ｎｕｍｂｅｒ＿ｌｕｍｉｎａｎｃｅ＿ｕｐｐｅｒ＿ｂｏｕｎｄ＿ｄｉｆｆ）は、核心明るさ範囲領域を拡張するために使用される変数の個数を示す。
【０１０８】
追加領域差情報（ｌｕｍｉｎａｎｃｅ＿ｕｐｐｅｒ＿ｂｏｕｎｄ＿ｄｉｆｆ［ｉ］）は、超高画質放送コンテンツでｉ＋１番目の明るさ値を構成するための差の値を示す。既存の明るさ範囲より広い明るさ範囲を有するが、超高画質放送コンテンツで表現された明るさ範囲を全ては受容できないディスプレイ（場合２）で核心明るさ範囲領域を拡張する場合、必須最大明るさ情報（ｌｕｍｉｎａｎｃｅ＿ｕｐｐｅｒ＿ｂｏｕｎｄ）は、ｌｕｍｉｎａｎｃｅ＿ｕｐｐｅｒ＿ｂｏｕｎｄ＋ｌｕｍｉｎａｎｃｅ＿ｕｐｐｅｒ＿ｂｏｕｎｄ＿ｄｉｆｆ［０］＋・・・＋ｌｕｍｉｎａｎｃｅ＿ｕｐｐｅｒ＿ｂｏｕｎｄ＿ｄｉｆｆ［ｉ］が示す値に変更することができる。
【０１０９】
追加領域差デジタル値（ｌｕｍａ＿ｕｐｐｅｒ＿ｖａｌｕｅ＿ｄｉｆｆ［ｉ］）は、超高画質放送コンテンツでｉ＋１番目の明るさ値に対するデジタル値（ｄｉｇｉｔａｌ  ｖａｌｕｅ）を示す。既存の明るさ範囲より広い明るさ範囲を有するが、超高画質放送コンテンツで表現された明るさ範囲を全ては受容できないディスプレイ（場合２）で核心明るさ範囲領域を拡張する場合、必須最大明るさデジタル値（ｌｕｍａ＿ｕｐｐｅｒ＿ｖａｌｕｅ）は、ｌｕｍａ＿ｕｐｐｅｒ＿ｖａｌｕｅ＋ｌｕｍａ＿ｕｐｐｅｒ＿ｖａｌｕｅ＿ｄｉｆｆ［０］＋・・・＋ｌｕｍａ＿ｕｐｐｅｒ＿ｖａｌｕｅ＿ｄｉｆｆ［ｉ］が示す値に変更することができる。
【０１１０】
変更上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ［ｉ］）は、ｉ＋１番目の明るさ範囲をサポートする場合、変更された上位明るさ範囲領域で使用される変換曲線を識別することができる。すなわち、変更上位領域変換曲線タイプ情報は、核心明るさ範囲領域が拡張される場合、これによって変更された上位明るさ範囲領域で使用される変換曲線を識別することができる。
【０１１１】
変更上位領域変換曲線細部情報（ｕｐｐｅｒ＿ＤＲ＿ｔｒａｎｓｆｏｒｍａｔｉｏｎ＿ｃｕｒｖｅ（））は、変更上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ［ｉ］）によって識別された変換曲線に応じた追加情報を示す。すなわち、ｉ＋１番目の明るさ範囲をサポートする場合、変更された上位明るさ範囲領域で使用される変換曲線に対する細部事項を示す。
【０１１２】
変更上位明るさ範囲領域比率情報（ｕｐｐｅｒ＿ＤＲ＿ｐｅｒｃｅｎｔａｇｅ［ｉ］）は、超高画質放送コンテンツの核心明るさ範囲領域が変更される場合、これによって変更された上位明るさ範囲領域が受信装置のディスプレイの全体明るさ範囲（ＤＲ）に占める比率を示す。
【０１１３】
変更核心明るさ範囲領域比率情報（ｍｉｄ＿ＤＲ＿ｐｅｒｃｅｎｔａｇｅ［ｉ］）は、超高画質放送コンテンツの核心明るさ範囲領域が変更される場合、変更された核心明るさ範囲領域が受信装置のディスプレイの全体明るさ範囲（ＤＲ）に占める比率を示す。
【０１１４】
本発明の一実施例に係る広域明るさ範囲メタデータは、ＥＯＴＦタイプ情報（ＥＯＴＦ＿ｔｙｐｅ）及び／またはＥＯＴＦ付加情報（ＥＯＴＦ＿ａｄｄｉｔｉｏｎａｌ＿ｉｎｆｏ）をさらに含むことができる。ＥＯＴＦタイプ情報（ＥＯＴＦ＿ｔｙｐｅ）は、ＨＤＲコンテンツの最適画質のためにコンテンツ製作者が使用したＥＯＴＦの種類を示すことができる。複数のＥＯＴＦ関連標準が制定されたり、コンテンツ製作者が任意のＥＯＴＦを定義して使用する場合にも、受信側は、ＥＯＴＦタイプ情報を用いて使用されたＥＯＴＦの種類を識別することができる。ＥＯＴＦ付加情報（ＥＯＴＦ＿ａｄｄｉｔｉｏｎａｌ＿ｉｎｆｏ）は、上述したＥＯＴＦタイプ情報によって追加的な情報が伝達される必要がある場合、使用されたＥＯＴＦに対する追加的な情報を伝達するために使用される。与えられたＥＯＴＦタイプ情報に対して、多様な条件で複数のＥＯＴＦ関数の係数を伝達する必要がある場合、送信側は、ＥＯＴＦ付加情報（ＥＯＴＦ＿ａｄｄｉｔｉｏｎａｌ＿ｉｎｆｏ）を用いて各係数に対する情報を提供することができる。例えば、コンテンツの多様な最大明るさ条件によって適したＥＯＴＦ関数の係数が変わる場合、各最大明るさ条件に応じた係数が全て伝達されなければならない。この場合、上述したＥＯＴＦ付加情報内にコンテンツの最大明るさ条件の個数を指定するフィールドを別途に定義し、各最大明るさ条件に対して目標最大明るさ情報（ＥＯＴＦ＿ｔａｒｇｅｔ＿ｍａｘ＿ｂｒｉｇｈｔｎｅｓｓ）及びＥＯＴＦ関数の各係数に対する情報（ＥＯＴＦ＿ｃｏｅｆｆｉｃｉｅｎｔ［ｉ］）を示す方法で上述したＥＯＴＦ付加情報を用いることができる。
【０１１５】
図９は、本発明の一実施例に係る核心領域変換曲線タイプ情報（ｍｉｄ＿ＤＲ＿ｔｒａｎｓｆｏｒｍａｔｉｏｎ＿ｃｕｒｖｅ＿ｔｙｐｅ）を示した図である。
【０１１６】
核心領域変換曲線タイプ情報（ｍｉｄ＿ＤＲ＿ｔｒａｎｓｆｏｒｍａｔｉｏｎ＿ｃｕｒｖｅ＿ｔｙｐｅ）の値が０ｘ００である場合、変換曲線として線形曲線（ｌｉｎｅａｒ  ｃｕｒｖｅ）が使用されることを示し、０ｘ０１である場合、変換曲線として対数曲線（ｌｏｇａｒｉｔｈｍｉｃ  ｃｕｒｖｅ）が使用されることを示し、０ｘ０２である場合、変換曲線として指数曲線（ｅｘｐｏｎｅｎｔｉａｌ  ｃｕｒｖｅ）が使用されることを示し、０ｘ０３である場合、変換曲線としてＳ曲線（ｓ  ｃｕｒｖｅ）が使用されることを示し、０ｘ０４である場合、変換曲線として多くの曲線が組み合わされた曲線（ｃｏｍｂｉｎａｔｉｏｎ  ｃｕｒｖｅ）が使用されることを示し、０ｘ０５である場合、ＬＵＴ（Ｌｏｏｋ  Ｕｐ  Ｔａｂｌｅ）が使用されることを示すことができる。
【０１１７】
当該図面では、核心領域変換曲線タイプ情報に対して説明しているが、上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ）及び下位領域変換曲線タイプ情報（ｌｏｗｅｒ＿ＤＲ＿ｔｒａｎｓｆｏｒｍａｔｉｏｎ＿ｃｕｒｖｅ＿ｔｙｐｅ）にも当該図面の内容を同様に適用することができる。
【０１１８】
図１０は、本発明の一実施例に係る変換曲線細部情報（ＤＲ＿ｔｒａｎｓｆｏｒｍａｔｉｏｎ＿ｃｕｒｖｅ）を示した図である。
【０１１９】
本発明の一実施例に係る変換曲線細部情報（ＤＲ＿ｔｒａｎｓｆｏｒｍａｔｉｏｎ＿ｃｕｒｖｅ）は、勾配情報（ｇｒａｄｉｅｎｔ）、底情報（ｃｏｅｆｆ＿ａ、ｃｏｅｆｆ＿ａ１）、変曲点座標情報（ｉｎｔｅｒｓｅｃｔｉｏｎ＿ｘ）、ｙ切片情報（ｃｏｅｆｆ＿ａ２）、組み合わされた曲線の個数情報（ｎｕｍ＿ｓｅｃｔｉｏｎ）、変換曲線タイプ情報（ＤＲ＿ｔｒａｎｓｆｏｒｍａｔｉｏｎ＿ｃｕｒｖｅ＿ｔｙｐｅ［ｉ］）、エントリー長さ情報（ｅｎｔｒｙ＿ｌｅｎｇｔｈ）、エントリー入力情報（ｉｎ＿ｖａｌｕｅ）及び／またはエントリー出力情報（ｏｕｔ＿ｖａｌｕｅ）を含むことができる。
【０１２０】
勾配情報（ｇｒａｄｉｅｎｔ）は、変換曲線として線形曲線（ｌｉｎｅａｒ  ｃｕｒｖｅ）が使用される場合、線形曲線の勾配を示す。
【０１２１】
底情報（ｃｏｅｆｆ＿ａ、ｃｏｅｆｆ＿ａ１）は、変換曲線として指数曲線（ｅｘｐｏｎｅｎｔｉａｌ  ｃｕｒｖｅ）、Ｓ曲線（ｓ  ｃｕｒｖｅ）及び／または対数曲線（ｌｏｇａｒｉｔｈｍｉｃ  ｃｕｒｖｅ）が使用される場合、指数関数または対数関数の底を示す。
【０１２２】
変曲点座標情報（ｉｎｔｅｒｓｅｃｔｉｏｎ＿ｘ）は、変換曲線としてＳ曲線（ｓ  ｃｕｒｖｅ）が使用される場合、変曲点の座標を示す。
【０１２３】
ｙ切片情報（ｃｏｅｆｆ＿ａ２）は、変換曲線としてＳ曲線（ｓ  ｃｕｒｖｅ）が使用される場合、変曲点を基準にして両側の曲線のそれぞれに対するｙ切片値を示す。
【０１２４】
組み合わされた曲線の個数情報（ｎｕｍ＿ｓｅｃｔｉｏｎ）は、変換曲線として多くの曲線が組み合わされた曲線（ｃｏｍｂｉｎａｔｉｏｎ  ｃｕｒｖｅ）が使用される場合、組み合わされた曲線の個数を示す。
【０１２５】
変換曲線タイプ情報（ＤＲ＿ｔｒａｎｓｆｏｒｍａｔｉｏｎ＿ｃｕｒｖｅ＿ｔｙｐｅ［ｉ］）は、変換曲線として多くの曲線が組み合わされた曲線（ｃｏｍｂｉｎａｔｉｏｎ  ｃｕｒｖｅ）が使用される場合、組み合わされた各曲線の種類を識別する。
【０１２６】
エントリー長さ情報（ｅｎｔｒｙ＿ｌｅｎｇｔｈ）は、超高画質放送コンテンツの変換のためにＬＵＴ（Ｌｏｏｋ―Ｕｐ  Ｔａｂｌｅ）が使用される場合、ＬＵＴに含まれるエントリーの長さを示す。
【０１２７】
エントリー入力情報（ｉｎ＿ｖａｌｕｅ）は、超高画質放送コンテンツの変換のためにＬＵＴ（Ｌｏｏｋ―Ｕｐ  Ｔａｂｌｅ）が使用される場合、ＬＵＴに入力される値を示す。
【０１２８】
エントリー出力情報（ｏｕｔ＿ｖａｌｕｅ）は、超高画質放送コンテンツの変換のためにＬＵＴ（Ｌｏｏｋ―Ｕｐ  Ｔａｂｌｅ）が使用される場合、ＬＵＴによって出力される値を示す。
【０１２９】
図１１は、本発明の一実施例に係るＥＩＴ（Ｅｖｅｎｔ  Ｉｎｆｏｒｍａｔｉｏｎ  Ｔａｂｌｅ）を示した図である。
【０１３０】
本発明の一実施例に係るＥＩＴ（Ｅｖｅｎｔ  Ｉｎｆｏｒｍａｔｉｏｎ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｓｏｕｒｃｅ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｌ＿ｖｅｒｓｉｏｎフィールド、ｎｕｍ＿ｅｖｅｎｔｓ＿ｉｎ＿ｓｅｃｔｉｏｎフィールド、ｅｖｅｎｔ＿ｉｄフィールド、ｓｔａｒｔ＿ｔｉｍｅフィールド、ＥＴＭ＿ｌｏｃａｔｉｏｎフィールド、ｌｅｎｇｔｈ＿ｉｎ＿ｓｅｃｏｎｄｓフィールド、ｔｉｔｌｅ＿ｌｅｎｇｔｈフィールド、ｔｉｔｌｅ＿ｔｅｘｔ（）フィールド、ｄｅｓｃｒｉｐｔｏｒｓ＿ｌｅｎｇｔｈフィールド、ｄｅｓｃｒｉｐｔｏｒ（）フィールド及び／またはＣＲＣ＿３２フィールドを含むことができる。
【０１３１】
ｔａｂｌｅ＿ｉｄフィールドは、当該テーブルがＥＩＴ（Ｅｖｅｎｔ  Ｉｎｆｏｒｍａｔｉｏｎ  Ｔａｂｌｅ）であることを識別する。
【０１３２】
ｓｅｃｔｉｏｎ＿ｓｙｎｔａｘ＿ｉｎｄｉｃａｔｏｒフィールドは、ＭＰＥＧ―２  ｐｒｉｖａｔｅ＿ｓｅｃｔｉｏｎ  ｔａｂｌｅのロング（ｌｏｎｇ）形態を示すために１にセッティングされる１ビットフィールドである。
【０１３３】
ｐｒｉｖａｔｅ＿ｉｎｄｉｃａｔｏｒフィールドは、１にセッティングされる１ビットフィールドである。
【０１３４】
ｓｅｃｔｉｏｎ＿ｌｅｎｇｔｈフィールドは、このフィールドの後にあるテーブルセクションの長さをバイト数で示す。
【０１３５】
ｓｏｕｒｃｅ＿ｉｄフィールドは、該当セクションで記述されるイベントを伝送する仮想チャンネルのソースアイディー（ｓｏｕｒｃｅ  ｉｄ）を示す。
【０１３６】
ｖｅｒｓｉｏｎ＿ｎｕｍｂｅｒフィールドは、テーブルのバージョン番号を示す５ビットフィールドである。
【０１３７】
ｃｕｒｒｅｎｔ＿ｎｅｘｔ＿ｉｎｄｉｃａｔｏｒフィールドは、１ビットフィールドであって、このテーブルが現在適用可能であるか、それとも次に適用可能であるかを示す。
【０１３８】
ｓｅｃｔｉｏｎ＿ｎｕｍｂｅｒフィールドは、セクションの番号を示す。
【０１３９】
ｌａｓｔ＿ｓｅｃｔｉｏｎ＿ｎｕｍｂｅｒフィールドは、最後のセクションの番号を識別する。
【０１４０】
ｐｒｏｔｏｃｏｐ＿ｖｅｒｓｉｏｎフィールドは、現在のプロトコルで定義されたパラメーターと異なるパラメーターを伝送する現在のテーブルタイプを後で許容するための機能を有するフィールドである。
【０１４１】
ｎｕｍ＿ｅｖｅｎｔｓ＿ｉｎ＿ｓｅｃｔｉｏｎフィールドは、該当テーブルセクションに含まれたイベントの個数を示す。
【０１４２】
ｅｖｅｎｔ＿ｉｄフィールドは、記述されたイベントを示す特定の数字を識別する。ここで、特定の数字は、イベントＥＴＭ＿ｉｄの一部分としての役割をすることができる。
【０１４３】
ｓｔａｒｔ＿ｔｉｍｅフィールドは、該当イベントの開始時間をＧＰＳセカンドを基準にして示す。仮想チャンネルでイベントの開始時間を示す値は、放送中のイベントの終了時間を示す値より大きくなり得る。イベントの終了時間は、イベントの開始時間とイベントの長さを時間として示した値との和と定義することができる。
【０１４４】
ＥＴＭ＿ｌｏｃａｔｉｏｎフィールドは、チャンネル、イベントまたはデータイベントのための拡張されたテキストメッセージの存在有無を示す。
【０１４５】
ｌｅｎｇｔｈ＿ｉｎ＿ｓｅｃｏｎｄｓフィールドは、イベントの持続時間を秒単位で示す。
【０１４６】
ｔｉｔｌｅ＿ｌｅｎｇｔｈフィールドは、タイトルテキスト（ｔｉｔｌｅ＿ｔｅｘｔ）の長さを示す。該当フィールドの値が０であると、該当イベントにタイトルがないことを示す。
【０１４７】
ｔｉｔｌｅ＿ｔｅｘｔ（）フィールドは、イベントの題目（ｔｉｔｌｅ）をマルチプルストリング構造（ｍｕｌｔｉｐｌｅ  ｓｔｒｉｎｇ  ｓｔｒｕｃｔｕｒｅ）の形式で示す。
【０１４８】
ｄｅｓｃｒｉｐｔｏｒｓ＿ｌｅｎｇｔｈフィールドは、後に続いて記述されるイベントディスクリプタ（ｄｅｓｃｒｉｐｔｏｒ（））の全体の長さを示す。
【０１４９】
ｄｅｓｃｒｉｐｔｏｒ（）は、テーブル内に位置するディスクリプタループ（ｄｅｓｃｒｉｐｔｏｒ  ｌｏｏｐ）である。ディスクリプタループ（ｄｅｓｃｒｉｐｔｏｒ  ｌｏｏｐ）は、追加的なディスクリプタを含むことができる。ＥＩＴ内には０個以上のディスクリプタを含ませることができ、当該ディスクリプタは、各イベントに適用される情報を記述するイベントレベルディスクリプタ（ｅｖｅｎｔ  ｌｅｖｅｌ  ｄｅｓｃｒｉｐｔｏｒ）に該当し得る。本発明の一実施例に係る広域明るさ範囲メタデータは、イベントレベルディスクリプタに含まれて伝送され得る。本発明の一実施例に係る広域明るさ範囲メタデータがＥＩＴのイベントレベルディスクリプタに含まれて伝送される場合、受信装置は、イベントレベル（ｅｖｅｎｔ  ｌｅｖｅｌ）でコンテンツの明るさ範囲変換のためのメタデータが含まれているか否かを確認することができ、受信装置で該当コンテンツを受容できるか否かを判断することができる。広域明るさ範囲メタデータを含むディスクリプタを明るさ範囲変換情報ディスクリプタと命名することができ、これに対しては後で詳細に説明する。超高画質サービスの種類を識別する情報を含む超高画質プログラム情報ディスクリプタがＥＩＴに含まれて伝送され得る。これに対しては後で説明する。
【０１５０】
ＣＲＣ＿３２フィールドは、データの無欠性をチェックできるＣＲＣ値を含む。ＣＲＣ値は、全体のＥＩＴセクションが処理された後、Ａｎｎｅｘ  Ａ  ｏｆ  ＩＳＯ―１３８１８―１  “ＭＰＥＧ―２  Ｓｙｓｔｅｍｓ”［１３］に定義されているデコーダー内のレジスタから０値が出力されることを保証することができる。
【０１５１】
図１２は、本発明の一実施例に係る明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ）を示した図である。
【０１５２】
本発明の一実施例に係る明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ）は、ｄｅｓｃｒｉｐｔｏｒ＿ｔａｇフィールド、ｄｅｓｃｒｉｐｔｏｒ＿ｌｅｎｇｔｈフィールド、ｎｕｍｂｅｒ＿ｏｆ＿ＨＤＲ＿ｉｎｆｏフィールド及び／またはｄｙｎａｍｉｃ＿ｒａｎｇｅ＿ｔｒａｎｓｆｏｒｍａｔｉｏｎ＿ｍｅｔａｄａｔａ（）フィールドを含むことができる。
【０１５３】
ｄｅｓｃｒｉｐｔｏｒ＿ｔａｇフィールドは、当該ディスクリプタが明るさ範囲変換情報ディスクリプタであることを識別する。
【０１５４】
ｄｅｓｃｒｉｐｔｏｒ＿ｌｅｎｇｔｈフィールドは、当該ディスクリプタの長さを示す。
【０１５５】
ｎｕｍｂｅｒ＿ｏｆ＿ＨＤＲ＿ｉｎｆｏフィールドは、当該ディスクリプタに含まれた広域明るさ範囲メタデータの個数を示す。シーンバイシーン（ｓｃｅｎｅ  ｂｙ  ｓｃｅｎｅ）で場面ごとにコンテンツの変換方法などが変わる場合、製作者が意図する広域明るさ範囲モード（ｍｏｄｅ）の個数を示すことができる。
【０１５６】
ｄｙｎａｍｉｃ＿ｒａｎｇｅ＿ｔｒａｎｓｆｏｒｍａｔｉｏｎ＿ｍｅｔａｄａｔａ（）フィールドは、超高画質放送コンテンツで表現された明るさ情報と、超高画質放送信号受信装置のディスプレイ環境に適するように超高画質放送コンテンツを変換する方法に対する情報を示す。当該フィールドは、広域明るさ範囲メタデータと命名することができ、これに対しては後で詳細に説明する。
【０１５７】
図１３は、本発明の一実施例に係る明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ（））に含まれた広域明るさ範囲メタデータ（ｄｙｎａｍｉｃ＿ｒａｎｇｅ＿ｔｒａｎｓｆｏｒｍａｔｉｏｎ＿ｍｅｔａｄａｔａ（））を示した図である。
【０１５８】
本発明の一実施例に係る広域明るさ範囲メタデータ（ｄｙｎａｍｉｃ＿ｒａｎｇｅ＿ｔｒａｎｓｆｏｒｍａｔｉｏｎ＿ｍｅｔａｄａｔａ（））は、最大基準明るさ情報（ｌｕｍｉｎａｎｃｅ＿ｍａｘ）、最小基準明るさ情報（ｌｕｍｉｎａｎｃｅ＿ｍｉｎ）、必須最大明るさ情報（ｌｕｍｉｎａｎｃｅ＿ｕｐｐｅｒ＿ｂｏｕｎｄ）、必須最小明るさ情報（ｌｕｍｉｎａｎｃｅ＿ｌｏｗｅｒ＿ｂｏｕｎｄ）、追加領域個数情報（ｎｕｍｂｅｒ＿ｌｕｍｉｎａｎｃｅ＿ｕｐｐｅｒ＿ｂｏｕｎｄ＿ｄｉｆｆ）及び／または追加領域差情報（ｌｕｍｉｎａｎｃｅ＿ｕｐｐｅｒ＿ｂｏｕｎｄ＿ｄｉｆｆ［ｉ］）を含むことができる。
【０１５９】
本発明の一実施例に係る広域明るさ範囲メタデータ（ｄｙｎａｍｉｃ＿ｒａｎｇｅ＿ｔｒａｎｓｆｏｒｍａｔｉｏｎ＿ｍｅｔａｄａｔａ（））は、任意のＥＯＴＦ情報（ｐｒｉｖａｔｅ＿ＥＯＴＦ）、ＥＯＴＦ係数個数情報（ｎｕｍｂｅｒ＿ｏｆ＿ｃｏｅｆｆ）、ＥＯＴＦ係数情報（ｔｒａｎｓｆｅｒ＿ｃｕｒｖｅ＿ｃｏｅｆｆ［ｉ］）、クリッピングフラグ情報（ｃｌｉｐｐｉｎｇ＿ｆｌａｇ）、線形マッピングフラグ情報（ｌｉｎｅａｒ＿ｍａｐｐｉｎｇ＿ｆｌａｇ）、クリッピング最大明るさ範囲情報（ｌｕｍａ＿ｃｌｉｐｐｉｎｇ＿ｕｐｐｅｒ＿ｂｏｕｎｄ）、クリッピング最小明るさ範囲情報（ｌｕｍａ＿ｃｌｉｐｐｉｎｇ＿ｌｏｗｅｒ＿ｂｏｕｎｄ）、必須最大明るさデジタル値（ｌｕｍａ＿ｕｐｐｅｒ＿ｖａｌｕｅ）、必須最小明るさデジタル値（ｌｕｍａ＿ｌｏｗｅｒ＿ｖａｌｕｅ）、核心領域変換曲線タイプ情報（ｍｉｄ＿ＤＲ＿ｔｒａｎｓｆｏｒｍａｔｉｏｎ＿ｃｕｒｖｅ＿ｔｙｐｅ）、核心領域変換曲線細部情報（ｍｉｄ＿ＤＲ＿ｔｒａｎｓｆｏｒｍａｔｉｏｎ＿ｃｕｒｖｅ（））、核心明るさ範囲領域比率情報（ｍｉｄ＿ＤＲ＿ｐｅｒｃｅｎｔａｇｅ）、上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ）、上位領域変換曲線細部情報（ｕｐｐｅｒ＿ＤＲ＿ｔｒａｎｓｆｏｒｍａｔｉｏｎ＿ｃｕｒｖｅ（））、上位明るさ範囲領域比率情報（ｕｐｐｅｒ＿ＤＲ＿ｐｅｒｃｅｎｔａｇｅ）、下位領域変換曲線タイプ情報（ｌｏｗｅｒ＿ＤＲ＿ｔｒａｎｓｆｏｒｍａｔｉｏｎ＿ｃｕｒｖｅ＿ｔｙｐｅ）、下位領域変換曲線細部情報（ｌｏｗｅｒ＿ＤＲ＿ｔｒａｎｓｆｏｒｍａｔｉｏｎ＿ｃｕｒｖｅ（））、追加領域差デジタル値（ｌｕｍａ＿ｕｐｐｅｒ＿ｖａｌｕｅ＿ｄｉｆｆ［ｉ］）、変更上位領域変換曲線タイプ情報（ｕｐｐｅｒ＿ＤＲ＿ｔｒａｎｓｆｏｒｍａｔｉｏｎ＿ｃｕｒｖｅ＿ｔｙｐｅ［ｉ］）、変更上位領域変換曲線細部情報（ｕｐｐｅｒ＿ＤＲ＿ｔｒａｎｓｆｏｒｍａｔｉｏｎ＿ｃｕｒｖｅ（））、変更上位明るさ範囲領域比率情報（ｕｐｐｅｒ＿ＤＲ＿ｐｅｒｃｅｎｔａｇｅ［ｉ］）及び／または変更核心明るさ範囲領域比率情報（ｍｉｄ＿ＤＲ＿ｐｅｒｃｅｎｔａｇｅ［ｉ］）をさらに含むことができる。
【０１６０】
本発明の一実施例に係る広域明るさ範囲メタデータ（ｄｙｎａｍｉｃ＿ｒａｎｇｅ＿ｔｒａｎｓｆｏｒｍａｔｉｏｎ＿ｍｅｔａｄａｔａ（））に含まれた各情報に対する詳細な説明は、上述したＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）に含まれて伝送される広域明るさ範囲メタデータ（Ｄｙｎａｍｉｃ  ｒａｎｇｅ  ｔｒａｎｓｆｏｒｍａｔｉｏｎ  ｉｎｆｏ（ｐａｙｌｏａｄＳｉｚｅ））部分に対する説明で代用する。
【０１６１】
本発明の一実施例に係る広域明るさ範囲メタデータ（ｄｙｎａｍｉｃ＿ｒａｎｇｅ＿ｔｒａｎｓｆｏｒｍａｔｉｏｎ＿ｍｅｔａｄａｔａ（））は、ＥＯＴＦタイプ情報（ＥＯＴＦ＿ｔｙｐｅ）及び／またはＥＯＴＦ付加情報（ＥＯＴＦ＿ａｄｄｉｔｉｏｎａｌ＿ｉｎｆｏ）をさらに含むことができる。ＥＯＴＦタイプ情報（ＥＯＴＦ＿ｔｙｐｅ）は、ＨＤＲコンテンツの最適画質のためにコンテンツ製作者が使用したＥＯＴＦの種類を示すことができる。複数のＥＯＴＦ関連標準が制定されたり、コンテンツ製作者が任意のＥＯＴＦを定義して使用する場合にも、受信側は、ＥＯＴＦタイプ情報を用いて使用されたＥＯＴＦの種類を識別することができる。ＥＯＴＦ付加情報（ＥＯＴＦ＿ａｄｄｉｔｉｏｎａｌ＿ｉｎｆｏ）は、上述したＥＯＴＦタイプ情報によって追加的な情報が伝達される必要がある場合、使用されたＥＯＴＦに対する追加的な情報を伝達するために使用される。与えられたＥＯＴＦタイプ情報に対して、多様な条件で複数のＥＯＴＦ関数の係数を伝達する必要がある場合、送信側は、ＥＯＴＦ付加情報（ＥＯＴＦ＿ａｄｄｉｔｉｏｎａｌ＿ｉｎｆｏ）を用いて各係数に対する情報を提供することができる。例えば、コンテンツの多様な最大明るさ条件に応じて適したＥＯＴＦ関数の係数が変わる場合、各最大明るさ条件に応じた係数が全て伝達されなければならない。この場合、上述したＥＯＴＦ付加情報内にコンテンツの最大明るさ条件の個数を指定するフィールドを別途に定義し、各最大明るさ条件に対して目標最大明るさ情報（ＥＯＴＦ＿ｔａｒｇｅｔ＿ｍａｘ＿ｂｒｉｇｈｔｎｅｓｓ）及びＥＯＴＦ関数の各係数に対する情報（ＥＯＴＦ＿ｃｏｅｆｆｉｃｉｅｎｔ［ｉ］）を示す方法で上述したＥＯＴＦ付加情報を用いることができる。
【０１６２】
本発明の一実施例によると、一つのイベントに対して複数の広域明るさ範囲メタデータが存在し得る。すなわち、一つの超高画質放送コンテンツに一貫して広域明るさ範囲メタデータが適用されるのではなく、各場面によって異なるメタデータが適用され、異なる方法によって変換され得る。この場合、本発明の一実施例に係る超高画質放送信号受信装置のディスプレイで超高画質放送コンテンツが受容可能であるか否かを判断する必要がある。このために、超高画質放送コンテンツの明るさ範囲情報及び受信装置のディスプレイを区分するのに必要な基準情報を、本発明の一実施例に係る広域明るさ範囲メタデータを用いて伝送することができる。
【０１６３】
図１４は、本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））を示した図である。
【０１６４】
本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））は、ｄｅｓｃｒｉｐｔｏｒ＿ｔａｇフィールド、ｄｅｓｃｒｉｐｔｏｒ＿ｌｅｎｇｔｈフィールド及び／またはＵＨＤ＿ｓｅｒｖｉｃｅ＿ｔｙｐｅフィールドを含むことができる。
【０１６５】
ｄｅｓｃｒｉｐｔｏｒ＿ｔａｇフィールドは、当該ディスクリプタが明るさ範囲変換情報ディスクリプタであるか否かを識別する。
【０１６６】
ｄｅｓｃｒｉｐｔｏｒ＿ｌｅｎｇｔｈフィールドは、当該ディスクリプタの長さを示す。
【０１６７】
ＵＨＤ＿ｓｅｒｖｉｃｅ＿ｔｙｐｅフィールドは、超高画質サービス（ＵＨＤ  ｓｅｒｖｉｃｅ）の種類に対する情報を提供することによって多様な超高画質サービスを提供することができる。例えば、超高画質サービスの種類には、ＵＨＤ１（４Ｋ）及びＵＨＤ２（８Ｋ）があり得る。また、超高画質サービスの種類は、画質（ｑｕａｉｌｉｔｙ）によって区分することができ、ユーザーによって任意に指定することができる。
【０１６８】
図１５は、本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））に含まれたＵＨＤ＿ｓｅｒｖｉｃｅ＿ｔｙｐｅフィールドを示した図である。
【０１６９】
本発明の一実施例に係るＵＨＤ＿ｓｅｒｖｉｃｅ＿ｔｙｐｅのフィールド値が００００であると、ＵＨＤ１サービスであることを示し、０００１であるとＵＨＤ２サービスであることを示し、１０００―１１１１であると、ユーザーによって指定された特定サービスであることを示すことができる。例えば、ユーザーは、ＵＨＤ＿ｓｅｒｖｉｃｅ＿ｔｙｐｅを１００１（ｃｏｌｏｒ  ｅｎｈａｎｃｅｄ  ＵＨＤ１（４Ｋ）  ｓｅｒｖｉｃｅ）に指定し、色感向上（ｃｏｌｏｒ  ｅｎｈａｎｃｅｍｅｎｔ）が使用されることを示すことができる。
【０１７０】
本発明の一実施例によると、ＵＨＤ＿ｓｅｒｖｉｃｅ＿ｔｙｐｅを１００１（ｃｌｏｒ  ｅｎｈａｎｃｅｄ  ＵＨＤ１（４Ｋ）  ｓｅｒｖｉｃｅ）に指定し、メタデータを用いてディスプレイ環境の調整が可能であることを示すことができる。ＵＨＤ＿ｓｅｒｖｉｃｅ＿ｔｙｐｅが００００（ＵＨＤ１  ｓｅｒｖｉｃｅ）である場合、ＥＩＴ内への明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ（））の存在有無を確認することによって、メタデータを用いて受信装置のディスプレイに適するように超高画質放送コンテンツを変換することが可能であるか否かを判断することができる。
【０１７１】
本発明の一実施例によると、明るさ範囲変換情報ディスクリプタ（ｄｙｎａｍｉｃ＿ｒａｎｇｅ＿ｔｒａｎｓｆｏｒｍａｔｉｏｎ＿ｉｎｆｏ＿ｄｅｓｃｒｉｐｔｏｒ（））を用いて、コンテンツ供給者は、再生されることを望むコンテンツの明るさ範囲が視聴者のディスプレイで表現可能であるか否かを判断することができる。これを用いて、現在または未来時点に再生されるコンテンツに対しても広域明るさ範囲メタデータの使用有無を予め判断することができ、予約録画などの状況のために受信機を予めセッティングすることができる。
【０１７２】
図１６は、本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）を示した図である。
【０１７３】
本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｔｒａｎｓｐｏｒｔ＿ｓｔｒｅａｍ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｐ＿ｖｅｒｓｉｏｎフィールド、ｎｕｍ＿ｃｈａｎｎｅｌｓ＿ｉｎ＿ｓｅｃｔｉｏｎフィールド、ｓｈｏｒｔ＿ｎａｍｅフィールド、ｍａｊｏｒ＿ｃｈａｎｎｅｌ＿ｎｕｍｂｅｒフィールド、ｍｉｎｏｒ＿ｃｈａｎｎｅｌ＿ｎｕｍｂｅｒフィールド、モジュレーションモード（ｍｏｄｕｌａｔｉｏｎ  ｍｏｄｅ）フィールド、ｃａｒｒｉｅｒ＿ｆｒｅｑｕｅｎｃｙフィールド、ｃｈａｎｎｅｌ＿ＴＳＩＤフィールド、ｐｒｏｇｒａｍ＿ｎｕｍｂｅｒフィールド、ＥＴＭ＿ｌｏｃａｔｉｏｎフィールド、ａｃｃｅｓｓ＿ｃｏｎｔｒｏｌｌｅｄフィールド、非表示（ｈｉｄｄｅｎ）フィールド、ｈｉｄｅ＿ｇｕｉｄｅフィールド、ｓｅｒｖｉｃｅ＿ｔｙｐｅフィールド、ｓｏｕｒｃｅ＿ｉｄフィールド、ｄｅｓｃｒｉｐｔｏｒｓ＿ｌｅｎｇｔｈフィールド及び／またはｄｅｓｃｒｉｐｔｏｒ（）を含むことができる。
【０１７４】
ｔａｂｌｅ＿ｉｄフィールドはテーブルを識別する。図９に示したテーブルはＴＶＣＴであるので、ｔａｂｌｅ＿ｉｄの値は０ｘ０８である。
【０１７５】
ｓｅｃｔｉｏｎ＿ｓｙｎｔａｘ＿ｉｎｄｉｃａｔｏｒフィールドは、ＭＰＥＧ―２  ｐｒｉｖａｔｅ＿ｓｅｃｔｉｏｎ  ｔａｂｌｅのロング（ｌｏｎｇ）形態を示すために１にセッティングされる１ビットフィールドである。（Ｔｈｉｓ  １―ｂｉｔ  ｆｉｅｌｄ  ｓｈａｌｌ  ｂｅ  ｓｅｔ  ｔｏ  ‘１’  ｔｏ  ａｌｗａｙｓ  ｉｎｄｉｃａｔｅ  ｔｈｅ  “ｌｏｎｇ”  ｆｏｒｍ  ｏｆ  ｔｈｅ  ＭＰＥＧ―２  ｐｒｉｖａｔｅ＿ｓｅｃｔｉｏｎ  ｔａｂｌｅ．）
【０１７６】
ｐｒｉｖａｔｅ＿ｉｎｄｉｃａｔｏｒフィールドは、１にセッティングされる１ビットフィールドである。（Ｔｈｉｓ  １―ｂｉｔ  ｆｉｅｌｄ  ｓｈａｌｌ  ｂｅ  ｓｅｔ  ｔｏ  ‘１’．）
【０１７７】
ｓｅｃｔｉｏｎ＿ｌｅｎｇｔｈフィールドは、このフィールドの後にあるテーブルセクションの長さをバイト数で示す。（Ｔｈｉｓ  ｉｓ  ａ  １２―ｂｉｔ  ｆｉｅｌｄ，ｔｈｅ  ｆｉｒｓｔ  ｔｗｏ  ｂｉｔｓ  ｏｆ  ｗｈｉｃｈ  ｓｈａｌｌ  ｂｅ  “００”．Ｉｔ  ｓｐｅｃｉｆｉｅｓ  ｔｈｅ  ｎｕｍｂｅｒ  ｏｆ  ｂｙｔｅｓ  ｏｆ  ｔｈｅ  ｓｅｃｔｉｏｎ，ｓｔａｒｔｉｎｇ  ｉｍｍｅｄｉａｔｅｌｙ  ｆｏｌｌｏｗｉｎｇ  ｔｈｅ  ｓｅｃｔｉｏｎ＿ｌｅｎｇｔｈ  ｆｉｅｌｄ  ａｎｄ  ｉｎｃｌｕｄｉｎｇ  ｔｈｅ  ＣＲＣ．Ｔｈｅ  ｓｅｃｔｉｏｎ＿ｌｅｎｇｔｈ  ｓｈａｌｌ  ｎｏｔ  ｅｘｃｅｅｄ  １０２１  ｓｏ  ｔｈａｔ  ｔｈｅ  ｅｎｔｉｒｅ  ｓｅｃｔｉｏｎ  ｈａｓ  ａ  ｍａｘｉｍｕｍ  ｌｅｎｇｔｈ  ｏｆ  １０２４  ｂｙｔｅｓ．）
【０１７８】
ｔｒａｎｓｐｏｒｔ＿ｓｔｒｅａｍ＿ｉｄフィールドは、テーブル内にあるＭＰＥＧ―２伝送ストリーム（Ｔｒａｎｓｐｏｒｔ  Ｓｔｒｅｍ：ＴＳ）の識別子を示す。（Ｔｏ  ｄｉｓｔｉｎｇｕｉｓｈ  ｅａｃｈ  ｔｒａｎｓｐｏｒｔ  ｓｔｒｅａｍ  ｗｉｔｈｉｎ  ａ  ｓｉｎｇｌｅ  ｎｅｔｗｏｒｋ（ｔｅｒｒｅｓｔｒｉａｌ，ｃａｂｌｅ  ｏｒ  ｓａｔｅｌｌｉｔｅ）  ｆｒｏｍ  ａｎｏｔｈｅｒ，ＭＰＥＧ―２  ｅｓｔａｂｌｉｓｈｅｄ  ｔｈｅ  ｕｓｅ  ｏｆ  ａ  １６―ｂｉｔ（ｒａｎｇｉｎｇ  ｆｒｏｍ  ０  ｔｏ  ６５５３５）  ｔｒａｎｓｐｏｒｔ＿ｓｔｒｅａｍ＿ｉｄｅｎｔｉｆｉｅｒ，ｗｈｉｃｈ  ｉｓ  ａｌｓｏ  ｃａｌｌｅｄ  ａ  ＴＳＩＤ．）
【０１７９】
ｖｅｒｓｉｏｎ＿ｎｕｍｂｅｒフィールドは、テーブルのバージョン番号を示す５ビットフィールドである。（Ｔｈｉｓ  ５―ｂｉｔ  ｆｉｅｌｄ  ｉｓ  ｔｈｅ  ｖｅｒｓｉｏｎ  ｎｕｍｂｅｒ  ｏｆ  ｔｈｅ  ＰＳＩＰ＿ｓｅｃｔｉｏｎ．Ｔｈｅ  ｖｅｒｓｉｏｎ＿ｎｕｍｂｅｒ  ｓｈａｌｌ  ｂｅ  ｉｎｃｒｅｍｅｎｔｅｄ  ｂｙ  １  ｍｏｄｕｌｏ  ３２  ｗｈｅｎ  ａ  ｃｈａｎｇｅ  ｉｎ  ｔｈｅ  ｉｎｆｏｒｍａｔｉｏｎ  ｃａｒｒｉｅｄ  ｗｉｔｈｉｎ  ｔｈｅ  ＰＳＩＰ＿ｓｅｃｔｉｏｎ  ｏｃｃｕｒｓ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  ‘０’，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｎｅｘｔ  ａｐｐｌｉｃａｂｌｅ  ＰＳＩＰ＿ｓｅｃｔｉｏｎ  ｗｉｔｈ  ｔｈｅ  ｓａｍｅ  ｔａｂｌｅ＿ｉｄ，ｔａｂｌｅ＿ｉｄ＿ｅｘｔｅｎｓｉｏｎ，ａｎｄ  ｓｅｃｔｉｏｎ＿ｎｕｍｂｅｒ．）
【０１８０】
ｃｕｒｒｅｎｔ＿ｎｅｘｔ＿ｉｎｄｉｃａｔｏｒフィールドは、１ビットフィールドであって、このテーブルが現在適用可能であるか、それとも次に適用可能であるかを示す。（Ａ  １―ｂｉｔ  ｆｉｅｌｄ，ｗｈｉｃｈ  ｗｈｅｎ  ｓｅｔ  ｔｏ  ‘１’  ｉｎｄｉｃａｔｅｓ  ｔｈａｔ  ｔｈｅ  ＰＳＩＰ＿ｓｅｃｔｉｏｎ  ｓｅｎｔ  ｉｓ  ｃｕｒｒｅｎｔｌｙ  ａｐｐｌｉｃａｂｌｅ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  ‘１’，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｃｕｒｒｅｎｔｌｙ  ａｐｐｌｉｃａｂｌｅ  ＰＳＩＰ＿ｓｅｃｔｉｏｎ．Ｗｈｅｎ  ｔｈｅ  ｂｉｔ  ｉｓ  ｓｅｔ  ｔｏ  ‘０’，ｉｔ  ｉｎｄｉｃａｔｅｓ  ｔｈａｔ  ｔｈｅ  ＰＳＩＰ＿ｓｅｃｔｉｏｎ  ｓｅｎｔ  ｉｓ  ｎｏｔ  ｙｅｔ  ａｐｐｌｉｃａｂｌｅ  ａｎｄ  ｓｈａｌｌ  ｂｅ  ｔｈｅ  ｎｅｘｔ  ＰＳＩＰ＿ｓｅｃｔｉｏｎ  ｗｉｔｈ  ｔｈｅ  ｓａｍｅ  ｓｅｃｔｉｏｎ＿ｎｕｍｂｅｒ，ｔａｂｌｅ＿ｉｄ＿ｅｘｔｅｎｓｉｏｎ，ａｎｄ  ｔａｂｌｅ＿ｉｄ  ｔｏ  ｂｅｃｏｍｅ  ｖａｌｉｄ．）
【０１８１】
ｓｅｃｔｉｏｎ＿ｎｕｍｂｅｒフィールドは、セクションの番号を示す。（Ｔｈｉｓ  ８―ｂｉｔ  ｆｉｅｌｄ  ｇｉｖｅｓ  ｔｈｅ  ｎｕｍｂｅｒ  ｏｆ  ｔｈｅ  ＰＳＩＰ＿ｓｅｃｔｉｏｎ．Ｔｈｅ  ｓｅｃｔｉｏｎ＿ｎｕｍｂｅｒ  ｏｆ  ｔｈｅ  ｆｉｒｓｔ  ｓｅｃｔｉｏｎ  ｉｎ  ａ  ＰＳＩＰ  ｔａｂｌｅ  ｓｈａｌｌ  ｂｅ  ０ｘ００．Ｔｈｅ  ｓｅｃｔｉｏｎ＿ｎｕｍｂｅｒ  ｓｈａｌｌ  ｂｅ  ｉｎｃｒｅｍｅｎｔｅｄ  ｂｙ  １  ｗｉｔｈ  ｅａｃｈ  ａｄｄｉｔｉｏｎａｌ  ｓｅｃｔｉｏｎ  ｉｎ  ＰＳＩＰ  ｔａｂｌｅ．Ｔｈｅ  ｓｃｏｐｅ  ｏｆ  ｔｈｅ  ｓｅｃｔｉｏｎ＿ｎｕｍｂｅｒ  ｓｈａｌｌ  ｂｅ  ｄｅｆｉｎｅｄ  ｂｙ  ｔｈｅ  ｔａｂｌｅ＿ｉｄ  ａｎｄ  ｔａｂｌｅ＿ｉｄ＿ｅｘｔｅｎｓｉｏｎ．Ｔｈａｔ  ｉｓ，ｆｏｒ  ｅａｃｈ  ＰＳＩＰ  ｔａｂｌｅ  ａｎｄ  ｖａｌｕｅ  ｏｆ  ｔｈｅ  ｔａｂｌｅ＿ｉｄ＿ｅｘｔｅｎｓｉｏｎ  ｆｉｅｌｄ，ｔｈｅｒｅ  ｉｓ  ｔｈｅ  ｐｏｔｅｎｔｉａｌ  ｆｏｒ  ｔｈｅ  ｆｕｌｌ  ｒａｎｇｅ  ｏｆ  ｓｅｃｔｉｏｎ＿ｎｕｍｂｅｒ  ｖａｌｕｅｓ．）
【０１８２】
ｌａｓｔ＿ｓｅｃｔｉｏｎ＿ｎｕｍｂｅｒフィールドは、最後のセクションの番号を識別する。（Ｔｈｉｓ  ８―ｂｉｔ  ｆｉｅｌｄ  ｓｐｅｃｉｆｉｅｓ  ｔｈｅ  ｎｕｍｂｅｒ  ｏｆ  ｔｈｅ  ｌａｓｔ  ｓｅｃｔｉｏｎ（ｔｈａｔ  ｉｓ，ｔｈｅ  ｓｅｃｔｉｏｎ  ｗｉｔｈ  ｔｈｅ  ｈｉｇｈｅｓｔ  ｓｅｃｔｉｏｎ＿ｎｕｍｂｅｒ）  ｏｆ  ｔｈｅ  ＰＳＩＰ  ｔａｂｌｅ  ｏｆ  ｗｈｉｃｈ  ｔｈｉｓ  ｓｅｃｔｉｏｎ  ｉｓ  ａ  ｐａｒｔ．Ｉｔｓ  ｓｃｏｐｅ  ｉｓ  ｔｈｅ  ｓａｍｅ  ａｓ  ｆｏｒ  ｔｈｅ  ｓｅｃｔｉｏｎ＿ｎｕｍｂｅｒ  ｆｉｅｌｄ．）
【０１８３】
ｐｒｏｔｏｃｏｐ＿ｖｅｒｓｉｏｎフィールドは、現在のプロトコルで定義されたパラメーターと異なるパラメーターを伝送する現在のテーブルタイプを後で許容するための機能を有するフィールドである。（Ａｎ  ８―ｂｉｔ  ｕｎｓｉｇｎｅｄ  ｉｎｔｅｇｅｒ  ｆｉｅｌｄ  ｗｈｏｓｅ  ｆｕｎｃｔｉｏｎ  ｉｓ  ｔｏ  ａｌｌｏｗ，ｉｎ  ｔｈｅ  ｆｕｔｕｒｅ，ｔｈｉｓ  ｔａｂｌｅ  ｔｙｐｅ  ｔｏ  ｃａｒｒｙ  ｐａｒａｍｅｔｅｒｓ  ｔｈａｔ  ｍａｙ  ｂｅ  ｓｔｒｕｃｔｕｒｅｄ  ｄｉｆｆｅｒｅｎｔｌｙ  ｔｈａｎ  ｔｈｏｓｅ  ｄｅｆｉｎｅｄ  ｉｎ  ｔｈｅ  ｃｕｒｒｅｎｔ  ｐｒｏｔｏｃｏｌ．Ａｔ  ｐｒｅｓｅｎｔ，ｔｈｅ  ｏｎｌｙ  ｖａｌｉｄ  ｖａｌｕｅ  ｆｏｒ  ｐｒｏｔｏｃｏｌ＿ｖｅｒｓｉｏｎ  ｉｓ  ｚｅｒｏ．Ｎｏｎ―ｚｅｒｏ  ｖａｌｕｅｓ  ｏｆ  ｐｒｏｔｏｃｏｌ＿ｖｅｒｓｉｏｎ  ｍａｙ  ｂｅ  ｕｓｅｄ  ｂｙ  ａ  ｆｕｔｕｒｅ  ｖｅｒｓｉｏｎ  ｏｆ  ｔｈｉｓ  ｓｔａｎｄａｒｄ  ｔｏ  ｉｎｄｉｃａｔｅ  ｓｔｒｕｃｔｕｒａｌｌｙ  ｄｉｆｆｅｒｅｎｔ  ｔａｂｌｅｓ．）
【０１８４】
ｎｕｍ＿ｃｈａｎｎｅｌｓ＿ｉｎ＿ｓｅｃｔｉｏｎフィールドは、仮想チャンネル解像度の個数を示す。（Ｔｈｅ  ｎｕｍ＿ｃｈａｎｎｅｌｓ＿ｉｎ＿ｓｅｃｔｉｏｎ  ｆｉｅｌｄ  ｉｎ  ＡＴＳＣ  Ｃａｂｌｅ  Ｖｉｒｔｕａｌ  Ｃｈａｎｎｅｌ  ｔａｂｌｅ  ＣＶＣＴ  ｔａｂｌｅ  ｓｅｃｔｉｏｎｓ  ｉｓ  ａｎ  ｅｉｇｈｔ―ｂｉｔ  ｆｉｅｌｄ  ｔｈａｔ  ｉｎｄｉｃａｔｅｓ  ｔｈｅ  ｎｕｍｂｅｒ  ｏｆ  ｖｉｒｔｕａｌ  ｃｈａｎｎｅｌ  ｄｅｆｉｎｉｔｉｏｎｓ  ｔｏ  ｆｏｌｌｏｗ  ｉｎ  ｔｈｅ  ｔａｂｌｅ  ｓｅｃｔｉｏｎ．）
【０１８５】
ｓｈｏｒｔ＿ｎａｍｅフィールドは、仮想チャンネルのためのショートネーム（ｓｈｏｒｔ  ｎａｍｅ）を示す１１２ビットフィールドである。（Ｔｈｅ  ｓｈｏｒｔ＿ｎａｍｅ  ｆｉｅｌｄ  ｉｓ  ａ  １１２―ｂｉｔ  ｆｉｅｌｄ  ｉｎ  ＡＴＳＣ  ＣＶＣＴ  ｔａｂｌｅ  ｓｅｃｔｉｏｎｓ  ｔｈａｔ  ｇｉｖｅｓ  ｔｈｅ  ｓｈｏｒｔ＿ｎａｍｅ  ｆｏｒ  ｔｈｅ  ｖｉｒｔｕａｌ  ｃｈａｎｎｅｌ．Ｅａｃｈ  ｌｅｔｔｅｒ  ｏｆ  ｔｈｅ  ｓｈｏｒｔ＿ｎａｍｅ  ｉｓ  ｆｏｒｍａｔｔｅｄ  ａｓ  ａ  １６―ｂｉｔ  Ｕｎｉｃｏｄｅ  ｃｈａｒａｃｔｅｒ，ｗｉｔｈ  ｔｈｅ  ｈｉｇｈ  ｏｒｄｅｒ  ｂｙｔｅ  ｔｒａｎｓｍｉｔｔｅｄ  ｆｉｒｓｔ．Ｓｏ，ｓｈｏｒｔ＿ｎａｍｅ  ｆｏｒ  ＴＶＣＴ  ａｎｄ  ＣＶＣＴ  ｅｎｔｒｉｅｓ  ｉｓ  ｓｅｖｅｎ  Ｕｎｉｃｏｄｅ  ｃｈａｒａｃｔｅｒｓ，ｗｈｉｃｈ  ｓｈｏｒｔ＿ｎａｍｅ  ｆｏｒ  ＳＶＣＴ  ｅｎｔｒｉｅｓ  ｉｓ  ｅｉｇｈｔ  Ｕｎｉｃｏｄｅ  ｃｈａｒａｃｔｅｒｓ．Ｉｆ  ｔｈｅ  ｄｉｓｐｌａｙ  ｎａｍｅ  ｉｓ  ｌｅｓｓ  ｔｈａｎ  ｔｈｅ  ｎｕｍｂｅｒ  ｏｆ  ｐｅｒｍｉｔｔｅｄ  ｃｈａｒａｃｔｅｒｓ，０／０ｘ００  ｉｓ  ａｐｐｅｎｄｅｄ  ｔｏ  ｔｈｅ  ｅｎｄ  ｕｎｔｉｌ  ｔｈｅ  ａｌｌｏｔｅｄ  ｎｕｍｂｅｒ  ｏｆ  ｂｉｔｓ  ｈａｓ  ｂｅｅｎ  ｒｅａｃｈｅｄ．）
【０１８６】
ｍａｊｏｒ＿ｃｈａｎｎｅｌ＿ｎｕｍｂｅｒフィールドは、仮想チャンネルと関連するメジャーチャンネルの数を示す。（Ａ  １０―ｂｉｔ  ｎｕｍｂｅｒ  ｔｈａｔ  ｒｅｐｒｅｓｅｎｔｓ  ｔｈｅ  “ｍａｊｏｒ”  ｃｈａｎｎｅｌ  ｎｕｍｂｅｒ  ａｓｓｏｃｉａｔｅｄ  ｗｉｔｈ  ｔｈｅ  ｖｉｒｔｕａｌ  ｃｈａｎｎｅｌ  ｂｅｉｎｇ  ｄｅｆｉｎｅｄ  ｉｎ  ｔｈｉｓ  ｉｔｅｒａｔｉｏｎ  ｏｆ  ｔｈｅ  “ｆｏｒ”  ｌｏｏｐ．Ｅａｃｈ  ｖｉｒｔｕａｌ  ｃｈａｎｎｅｌ  ｓｈａｌｌ  ｂｅ  ａｓｓｏｃｉａｔｅｄ  ｗｉｔｈ  ａ  ｍａｊｏｒ  ａｎｄ  ａ  ｍｉｎｏｒ  ｃｈａｎｎｅｌ  ｎｕｍｂｅｒ．Ｔｈｅ  ｍａｊｏｒ  ｃｈａｎｎｅｌ  ｎｕｍｂｅｒ，ａｌｏｎｇ  ｗｉｔｈ  ｔｈｅ  ｍｉｎｏｒ  ｃｈａｎｎｅｌ  ｎｕｍｂｅｒ，ａｃｔ  ａｓ  ｔｈｅ  ｕｓｅｒ’ｓ  ｒｅｆｅｒｅｎｃｅ  ｎｕｍｂｅｒ  ｆｏｒ  ｔｈｅ  ｖｉｒｔｕａｌ  ｃｈａｎｎｅｌ．Ｔｈｅ  ｍａｊｏｒ＿ｃｈａｎｎｅｌ＿ｎｕｍｂｅｒ  ｓｈａｌｌ  ｂｅ  ｂｅｔｗｅｅｎ  １  ａｎｄ  ９９．Ｔｈｅ  ｖａｌｕｅ  ｏｆ  ｍａｊｏｒ＿ｃｈａｎｎｅｌ＿ｎｕｍｂｅｒ  ｓｈａｌｌ  ｂｅ  ｓｅｔ  ｓｕｃｈ  ｔｈａｔ  ｉｎ  ｎｏ  ｃａｓｅ  ｉｓ  ａ  ｍａｊｏｒ＿ｃｈａｎｎｅｌ＿ｎｕｍｂｅｒ／ｍｉｎｏｒ＿ｃｈａｎｎｅｌ＿ｎｕｍｂｅｒ  ｐａｉｒ  ｄｕｐｌｉｃａｔｅｄ  ｗｉｔｈｉｎ  ｔｈｅ  ＴＶＣＴ．）
【０１８７】
ｍｉｎｏｒ＿ｃｈａｎｎｅｌ＿ｎｕｍｂｅｒフィールドは、仮想チャンネルと関連するマイナーチャンネルの数を示す。（Ａ  １０―ｂｉｔ  ｎｕｍｂｅｒ  ｉｎ  ｔｈｅ  ｒａｎｇｅ  ０  ｔｏ  ９９９  ｔｈａｔ  ｒｅｐｒｅｓｅｎｔｓ  ｔｈｅ  “ｍｉｎｏｒ”  ｏｒ  “ｓｕｂ”―ｃｈａｎｎｅｌ  ｎｕｍｂｅｒ．Ｔｈｉｓ  ｆｉｅｌｄ，ｔｏｇｅｔｈｅｒ  ｗｉｔｈ  ｍａｊｏｒ＿ｃｈａｎｎｅｌ＿ｎｕｍｂｅｒ，ｐｅｒｆｏｒｍｓ  ａｓ  ａ  ｔｗｏ―ｐａｒｔ  ｃｈａｎｎｅｌ  ｎｕｍｂｅｒ，ｗｈｅｒｅ  ｍｉｎｏｒ＿ｃｈａｎｎｅｌ＿ｎｕｍｂｅｒ  ｒｅｐｒｅｓｅｎｔｓ  ｔｈｅ  ｓｅｃｏｎｄ  ｏｒ  ｒｉｇｈｔ―ｈａｎｄ  ｐａｒｔ  ｏｆ  ｔｈｅ  ｎｕｍｂｅｒ．Ｗｈｅｎ  ｔｈｅ  ｓｅｒｖｉｃｅ＿ｔｙｐｅ  ｉｓ  ａｎａｌｏｇ  ｔｅｌｅｖｉｓｉｏｎ，ｍｉｎｏｒ＿ｃｈａｎｎｅｌ＿ｎｕｍｂｅｒ  ｓｈａｌｌ  ｂｅ  ｓｅｔ  ｔｏ  ０．）
【０１８８】
モジュレーションモード（ｍｏｄｕｌａｔｉｏｎ  ｍｏｄｅ）フィールドは、仮想チャンネルの伝送キャリアに対する変調方式を示す。（Ｔｈｅ  ｍｏｄｕｌａｔｉｏｎ＿ｍｏｄｅ  ｉｓ  ａｎ  ｅｉｇｈｔ―ｂｉｔ  ｆｉｅｌｄ  ｉｎ  ａ  ｖｉｒｔｕａｌ  ｃｈａｎｎｅｌ  ｅｎｔｒｙ  ｔｅｌｌｓ  ｒｅｃｅｉｖｅｒｓ  ｔｈｅ  ｍｏｄｕｌａｔｉｏｎ  ｕｓｅｄ  ｔｏ  ｔｒａｎｓｍｉｔ  ｉｎｄｉｖｉｄｕａｌ  ｃｈａｎｎｅｌｓ．）
【０１８９】
ｃａｒｒｉｅｒ＿ｆｒｅｑｕｅｎｃｙフィールドは、伝送仮想チャンネルによって使用されるキャリア周波数情報を伝送する。（Ｔｈｅ  ｃａｒｒｉｅｒ  ｆｒｅｑｕｅｎｃｙ  ｉｓ  ａ  ３２―ｂｉｔ  ｆｉｅｌｄ  ｔｈａｔ  ｔｒａｎｓｍｉｔｓ  ｔｈｅ  ｃａｒｒｉｅｒ  ｆｒｅｑｕｅｎｃｙ  ｕｓｅｄ  ｂｙ  ｔｈｅ  ｔｒａｎｓｐｏｒｔ  ｃａｒｒｙｉｎｇ  ｔｈｅ  ｖｉｒｔｕａｌ  ｃｈａｎｎｅｌ．）
【０１９０】
ｃｈａｎｎｅｌ＿ＴＳＩＤフィールドは、仮想チャンネルと関連するＭＰＥＧ―２プログラムを伝送する伝送ストリーム（Ｔｒａｎｓｐｏｒｔ  Ｓｔｒｅａｍ：ＴＳ）に対するＭＰＥＧ―２伝送ストリーム（Ｔｒａｎｓｐｏｒｔ  Ｓｔｒｅａｍ）  ＩＤを示す。（Ｔｈｅ  ｃｈａｎｎｅｌ＿ＴＳＩＤ  ｉｓ  ａ  １６―ｂｉｔ  ｕｎｓｉｇｎｅｄ  ｉｎｔｅｇｅｒ  ｆｉｅｌｄ  ｔｈａｔ  ｇｉｖｅｓ  ｔｈｅ  ｔｒａｎｓｐｏｒｔ＿ｓｔｒｅａｍ＿ｉｄ  ｏｆ  ｔｈｅ  ｃｈａｎｎｅｌ  ｔｈａｔ  ｃａｒｒｉｅｓ（ｏｒ  ｆｏｒ  ｉｎａｃｔｉｖｅ  ｃｈａｎｎｅｌｓ，ｗｉｌｌ  ｃａｒｒｙ）  ｔｈｅ  ｖｉｒｔｕａｌ  ｃｈａｎｎｅｌ．）
【０１９１】
ｐｒｏｇｒａｍ＿ｎｕｍｂｅｒフィールドは、ＴＳ内の各プログラムサービスまたは仮想チャンネルを識別する。（Ｔｈｅ  ｐｒｏｇｒａｍ＿ｎｕｍｂｅｒ  ｉｓ  ａ  １６―ｂｉｔ  ｕｎｓｉｇｎｅｄ  ｉｎｔｅｇｅｒ  ｔｈａｔ  ｕｎｉｑｕｅｌｙ  ｉｄｅｎｔｉｆｉｅｓ  ｅａｃｈ  ｐｒｏｇｒａｍ  ｓｅｒｖｉｃｅ（ｏｒ  ｖｉｒｔｕａｌ  ｃｈａｎｎｅｌ）  ｐｒｅｓｅｎｔ  ｉｎ  ａ  ｔｒａｎｓｐｏｒｔ  ｓｔｒｅａｍ．）
【０１９２】
ＥＴＭ＿ｌｏｃａｔｉｏｎフィールドは、チャンネル、イベントまたはデータイベントのための拡張されたテキストメッセージの存在の有無を示す。（Ｔｈｅ  ＥＴＭ＿ｌｏｃａｔｉｏｎ  ｆｉｅｌｄ  ｄｅｎｏｔｅｓ  ｗｈｅｔｈｅｒ  ｔｈｅｒｅ  ｉｓ  ａｎ  ｅｘｔｅｎｄｅｄ  ｔｅｘｔ  ｍｅｓｓａｇｅ  ｆｏｒ  ｔｈｅ  ｃｈａｎｎｅｌ（Ｃｈａｎｎｅｌ  Ｅｘｔｅｎｄｅｄ  Ｔｅｘｔ  ｔａｂｌｅ  ｏｒ  ＣＥＴＴ），ｅｖｅｎｔ（Ｅｖｅｎｔ  Ｅｘｔｅｎｄｅｄ  Ｔｅｘｔ  ｔａｂｌｅ）  ｏｒ  ｄａｔａ  ｅｖｅｎｔ（Ｄａｔａ  Ｅｘｔｅｎｄｅｄ  Ｔｅｘｔ  ｔａｂｌｅ）．）
【０１９３】
ａｃｃｅｓｓ＿ｃｏｎｔｒｏｌｌｅｄフィールドは、該当の仮想チャンネルと関連したイベントが制御されるか否かを示す。（Ｗｈｅｎ  ａｃｃｅｓｓ＿ｃｏｎｔｒｏｌｌｅｄ  ｉｓ  ｓｅｔ  ｔｏ  ‘１’，ｍｅａｎｓ  ｔｈａｔ  ｅｖｅｎｔｓ  ａｓｓｏｃｉａｔｅｄ  ｗｉｔｈ  ｔｈｉｓ  ｖｉｒｔｕａｌ  ｃｈａｎｎｅｌ  ｍａｙ  ｂｅ  ａｃｃｅｓｓ  ｃｏｎｔｒｏｌｌｅｄ．Ｗｈｅｎ  ｓｅｔ  ｔｏ  ‘０’，ａｃｃｅｓｓ  ｔｏ  ｅｖｅｎｔ  ｉｓ  ｎｏｔ  ｃｏｎｔｒｏｌｌｅｄ．）
【０１９４】
非表示（ｈｉｄｄｅｎ）フィールドは、該当チャンネルが仮想チャンネル数字の直接入力（ｄｉｒｅｃｔ  ｅｎｔｒｙ）（またはフィールド、属性、個体）によってアクセスできるか否かを意味する。（Ｗｈｅｎ  ｈｉｄｄｅｎ  ｉｓ  ｓｅｔ  ｔｏ  ‘１’，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  ‘０’，ｖｉｒｔｕａｌ  ｃａｎ  ｂｅ  ａｃｃｅｓｓｅｄ  ｂｙ  ｄｉｒｅｃｔ  ｅｎｔｒｙ．）
【０１９５】
ｈｉｄｅ＿ｇｕｉｄｅフィールドは、該当チャンネルが仮想チャンネル数字の直接入力（ｄｉｒｅｃｔ  ｅｎｔｒｙ）（またはフィールド、属性、個体）によってアクセスできるか否かを意味する。（Ｗｈｅｎ  ｈｉｄｅ＿ｇｕｉｄｅ  ｉｓ  ｓｅｔ  ｔｏ  ‘１’，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  ‘０’，ｖｉｒｔｕａｌ  ｃａｎ  ｂｅ  ａｃｃｅｓｓｅｄ  ｂｙ  ｄｉｒｅｃｔ  ｅｎｔｒｙ．）
【０１９６】
ｓｅｒｖｉｃｅ＿ｔｙｐｅフィールドは、仮想チャンネルでセッティングされたサービスタイプを識別する。（Ｔｈｅ  ｓｅｒｖｉｃｅ＿ｔｙｐｅ  ｉｓ  ａ  ６―ｂｉｔ  ｅｎｕｍｅｒａｔｅｄ  ｆｉｅｌｄ  ｔｈａｔ  ｉｄｅｎｔｉｆｉｅｓ  ｔｈｅ  ｔｙｐｅ  ｏｆ  ｓｅｒｖｉｃｅ  ｓｅｔ  ｉｎ  ｔｈｅ  ｖｉｒｔｕａｌ  ｃｈａｎｎｅｌ．）ＵＨＤサービスのための一実施例として、サービスタイプ（ｓｅｒｖｉｃｅ  ｔｙｐｅ）は、パラメーター化サービス（ｐａｒａｍｅｔｅｒｉｚｅｄ  ｓｅｒｖｉｃｅ）（０ｘ０７）、拡張されたパラメーター化サービス（ｅｘｔｅｎｄｅｄ  ｐａｒａｍｅｔｅｒｉｚｅｄ  ｓｅｒｖｉｃｅ）（０ｘ０９）または新たなＤＴＶサービス（ｎｅｗ  ＤＴＶ  ｓｅｒｖｉｃｅ）（０ｘ１０）に指定することができる。上述したサービス名称及び値（ｖａｌｕｅ）は一実施例であって、他の名称または値に設定することもできる。
【０１９７】
ｓｏｕｒｃｅ＿ｉｄフィールドは、１６ビットの符号が定められていない整数であって、仮想チャンネルと関連したプログラミングソースを示す。（Ａ  １６―ｂｉｔ  ｕｎｓｉｇｎｅｄ  ｉｎｔｅｇｅｒ  ｎｕｍｂｅｒ  ｔｈａｔ  ｉｄｅｎｔｉｆｉｅｓ  ｔｈｅ  ｐｒｏｇｒａｍｍｉｎｇ  ｓｏｕｒｃｅ  ａｓｓｏｃｉａｔｅｄ  ｗｉｔｈ  ｔｈｅ  ｖｉｒｔｕａｌ  ｃｈａｎｎｅｌ．Ｉｎ  ｔｈｉｓ  ｃｏｎｔｅｘｔ，ａ  ｓｏｕｒｃｅ  ｉｓ  ｏｎｅ  ｓｐｅｃｉｆｉｃ  ｓｏｕｒｃｅ  ｏｆ  ｖｉｄｅｏ，ｔｅｘｔ，ｄａｔａ，ｏｒ  ａｕｄｉｏ  ｐｒｏｇｒａｍｍｉｎｇ．Ｓｏｕｒｃｅ  ＩＤ  ｖａｌｕｅ  ｚｅｒｏ  ｉｓ  ｒｅｓｅｒｖｅｄ．Ｓｏｕｒｃｅ  ＩＤ  ｖａｌｕｅｓ  ｉｎ  ｔｈｅ  ｒａｎｇｅ  ０ｘ０００１  ｔｏ  ０ｘ０ＦＦＦ  ｓｈａｌｌ  ｂｅ  ｕｎｉｑｕｅ  ｗｉｔｈｉｎ  ｔｈｅ  Ｔｒａｎｓｐｏｒｔ  Ｓｔｒｅａｍ  ｔｈａｔ  ｃａｒｒｉｓ  ｔｈｅ  ＶＣＴ，ｗｈｉｌｅ  ｖａｌｕｅｓ  ０ｘ１０００  ｔｏ  ０ｘＦＦＦＦ  ｓｈａｌｌ  ｂｅ  ｕｎｉｑｕｅ  ａｔ  ｔｈｅ  ｒｅｇｉｏｎａｌ  ｌｅｖｅｌ．Ｖａｌｕｅｓ  ｆｏｒ  ｓｏｕｒｃｅ＿ｉｄｓ  ０ｘ１０００  ａｎｄ  ａｂｏｖｅ  ｓｈａｌｌ  ｂｅ  ｉｓｓｕｅｄ  ａｎｄ  ａｄｍｉｎｉｓｔｅｒｅｄ  ｂｙ  ａ  Ｒｅｇｉｓｔｒａｔｉｏｎ  Ａｕｔｈｏｒｉｔｙ  ｄｅｓｉｇｎａｔｅｄ  ｂｙ  ｔｈｅ  ＡＴＳＣ．）
【０１９８】
ｄｅｓｃｒｉｐｔｏｒｓ＿ｌｅｎｇｔｈフィールドは、次のディスクリプタフィールドのバイトの長さを伝送する。（Ｔｈｅ  ｄｅｓｃｒｉｐｔｏｒｓ＿ｌｅｎｇｔｈ  ｉｓ  ａ  １０―ｂｉｔ  ｕｎｓｉｇｎｅｄ  ｉｎｔｅｇｅｒ  ｆｉｅｌｄ  ｔｈａｔ  ｓｉｇｎａｌｓ  ｔｈｅ  ｌｅｎｇｔｈ  ｉｎ  ｂｙｔｅｓ  ｏｆ  ｔｈｅ  ｄｅｓｃｒｉｐｔｏｒ  ｆｉｅｌｄ  ｔｏ  ｆｏｌｌｏｗ．Ｉｆ  ｔｈｅｒｅ  ａｒｅ  ｎｏ  ｄｅｓｃｒｉｐｔｏｒｓ  ｐｒｅｓｅｎｔ，ｚｅｒｏ  ｗｏｕｌｄ  ｂｅ  ａｐｐｒｏｐｒｉａｔｅ．）
【０１９９】
ｄｅｓｃｒｉｐｔｏｒ（）フィールドは、テーブル内に位置するディスクリプタループ（ｄｅｓｃｒｉｐｔｏｒ  ｌｏｏｐ）である。ディスクリプタループ（ｄｅｓｃｒｉｐｔｏｒ  ｌｏｏｐ）は追加的なディスクリプタを含むことができる。
【０２００】
図１７は、本発明の一実施例に係る超高画質放送サービスであることを識別できるディスクリプタを示した図である。
【０２０１】
本発明の一実施例に係るＴＶＣＴで超高画質級（ＵＨＤ級）ビデオがサービスされるか否かは、後述する方法によってシグナリングすることができる。
【０２０２】
ｓｅｒｖｉｃｅ＿ｔｙｐｅが０ｘ０７である場合、ビデオサービスを記述することができ、コンポーネントリストディスクリプタ（ｃｏｍｐｏｎｅｎｔ  ｌｉｓｔ  ｄｅｓｃｒｉｐｔｏｒ）を通じて伝送されるｓｔｒｅａｍ＿ｉｎｆｏ＿ｄｅｔａｉｌｓ（）に含まれた情報を通じて該当ストリームが受信装置でデコーディング及び再生可能であるか否かを判断することができる。また、ＵＨＤディスクリプタ及び／またはサービスロケーションディスクリプタ（ｓｅｒｖｉｃｅ  ｌｏｃａｔｉｏｎ  ｄｅｓｃｒｉｐｔｏｒ）を通じて超高画質サービスに対する情報を提供することができる。
【０２０３】
ｓｅｒｖｉｃｅ＿ｔｙｐｅが０ｘ０９である場合、パラメーター化サービスディスクリプタ（ｐａｒａｍｅｔｅｒｉｚｅｄ  ｓｅｒｖｉｃｅ  ｄｅｓｃｒｉｐｔｏｒ）をさらに用いることができ、これを用いて超高画質サービスに対する具体的な情報を提供することができる。また、コンポーネントリストディスクリプタ（ｃｏｍｐｏｎｅｎｔ  ｌｉｓｔ  ｄｅｓｃｒｉｐｔｏｒ）及び／またはサービスロケーションディスクリプタ（ｓｅｒｖｉｃｅ  ｌｏｃａｔｉｏｎ  ｄｅｓｃｒｉｐｔｏｒ）を通じて超高画質サービスに対する情報を提供することができる。
【０２０４】
ｓｅｒｖｉｃｅ＿ｔｙｐｅが０ｘ１０である場合、ＵＨＤディスクリプタ及び／またはサービスロケーションディスクリプタ（ｓｅｒｖｉｃｅ  ｌｏｃａｔｉｏｎ  ｄｅｓｃｒｉｐｔｏｒ）を通じて超高画質サービスに対する情報を提供することができる。
【０２０５】
図１８は、本発明の一実施例に係る超高画質放送信号送信方法を示した図である。
【０２０６】
本発明の一実施例によると、超高画質放送信号は、次のような過程を経て送信することができる。まず、送信側は、超高画質ビデオデータ及び広域明るさ範囲メタデータをエンコーディングする（Ｓ１８０１０）。ここで、超高画質ビデオデータは、超高画質放送コンテンツに含ませることができ、広域明るさ範囲メタデータは、超高画質放送コンテンツで表現された明るさ情報と、本発明の一実施例に係る超高画質放送信号受信装置のディスプレイ環境に適するように放送コンテンツを変換する方法に対する情報を示す。広域明るさ範囲メタデータに対しては、図８及び図１３の説明部分で詳細に説明した。次の過程で、送信側は、エンコーディングされた超高画質ビデオデータ及び広域明るさ範囲メタデータを多重化し（Ｓ１８０２０）、多重化された超高画質ビデオデータ及び広域明るさ範囲メタデータを伝送する（Ｓ１８０３０）。ここで、広域明るさ範囲メタデータは、超高画質ビデオデータと共に多重化されないこともある。多重化された超高画質ビデオデータ及び／または広域明るさ範囲メタデータは、地上波放送網、ケーブル網及びインターネットプロトコル網のうち少なくともいずれか一つを介して伝送することができる。
【０２０７】
本発明のまた他の一実施例によると、広域明るさ範囲メタデータは、超高画質放送コンテンツで表現された最大基準明るさを示す最大基準明るさ情報、超高画質放送コンテンツで表現された最小基準明るさを示す最小基準明るさ情報、超高画質放送コンテンツで表現された明るさ範囲のうち必ず表現されなければならない明るさ範囲の最大値を示す必須最大明るさ情報、超高画質放送コンテンツで表現された明るさ範囲のうち必ず表現されなければならない明るさ範囲の最小値を示す必須最小明るさ情報、及び超高画質放送コンテンツで表現された明るさ範囲のうち必ず表現されなければならない明るさ範囲を拡張するために使用される追加領域差情報のうち少なくともいずれか一つを含むことができる。上述した広域明るさ範囲メタデータに含まれた各情報に対しては、図８及び図１３の説明部分で詳細に説明した。
【０２０８】
本発明のまた他の一実施例によると、超高画質放送コンテンツで表現された明るさ範囲は、広域明るさ範囲メタデータに含まれた必須最小明るさ情報、必須最大明るさ情報、最大基準明るさ情報及び最小基準明るさ情報を用いて区分され、超高画質放送コンテンツは、区分された各区間別に異なる種類の変換方法によって変換することができる。ここで、超高画質放送コンテンツで表現された明るさ範囲は、必須最小明るさ情報が示す値と必須最大明るさ情報が示す値との間の領域である核心明るさ範囲領域、必須最大明るさ情報が示す値と最大基準明るさ情報が示す値との間の領域である上位明るさ範囲領域、及び最小基準明るさ情報が示す値と必須最小明るさ情報が示す値との間の領域である下位明るさ範囲領域に区分することができる。上述した超高画質放送コンテンツの区分に対しては、図１及び図３の説明部分で詳細に説明した。
【０２０９】
本発明のまた他の一実施例によると、広域明るさ範囲メタデータは、超高画質放送コンテンツの区分された明るさ範囲の区間ごとに超高画質放送コンテンツの変換に使用される変換曲線の種類を識別する変換曲線タイプ情報、識別された変換曲線に対する細部情報を示す変換曲線細部情報、及び区分された明るさ範囲の各区間が前記受信装置の表現可能な明るさ範囲に占める比率を示す明るさ領域比率情報のうち少なくともいずれか一つを含むことができる。上述した超高画質放送コンテンツは、核心明るさ範囲領域、上位明るさ範囲領域、下位明るさ範囲領域に区分することができ、各区間に使用される変換曲線の種類は異なり得る。上述した変換曲線タイプ情報は、超高画質放送コンテンツの区分された明るさ範囲の区間ごとに異なり得る。また、上述した変換曲線タイプ情報は、核心領域変換曲線タイプ情報、上位領域変換曲線タイプ情報及び／または下位領域変換曲線タイプ情報を含むことができる。同様に、上述した変換曲線細部情報は、超高画質放送コンテンツの区分された明るさ範囲の区間ごとに異なり、変換曲線細部情報は、核心領域変換曲線細部情報、上位領域変換曲線細部情報及び／または下位領域変換曲線細部情報を含むことができる。同様に、上述した明るさ領域比率情報は、超高画質放送コンテンツの区分された各明るさ範囲の区間によって異なり、明るさ領域比率情報は、核心明るさ領域比率情報、上位明るさ領域比率情報及び／または下位明るさ領域比率情報を含むことができる。上述した変換曲線タイプ情報、変換曲線細部情報及び明るさ領域比率情報に対しては、図８及び図１３の説明部分で詳細に説明した。
【０２１０】
本発明のまた他の一実施例によると、核心明るさ範囲領域は、広域明るさ範囲メタデータに含まれた追加領域差情報を用いて拡張することができ、核心明るさ範囲領域が拡張されることによって上位明るさ範囲領域も変更させることができる。
【０２１１】
本発明のまた他の一実施例によると、広域明るさ範囲メタデータは、超高画質放送コンテンツで表現された明るさ範囲のうち特定範囲の明るさに対してのみ再生されるようにするクリッピングオプションの使用有無を示すクリッピングフラグ情報、及びクリッピングオプションが使用される場合、前記超高画質放送コンテンツで表現された明るさ範囲のうち再生される特定範囲の明るさを示すクリッピング明るさ範囲情報を含むことができる。ここで、上述したクリッピング明るさ範囲情報は、クリッピング最大明るさ範囲情報（ｌｕｍａ＿ｃｌｉｐｐｉｎｇ＿ｕｐｐｅｒ＿ｂｏｕｎｄ）及び／またはクリッピング最小明るさ範囲情報（ｌｕｍａ＿ｃｌｉｐｐｉｎｇ＿ｌｏｗｅｒ＿ｂｏｕｎｄ）を含むことができる。上述したクリッピングフラグ情報、クリッピング明るさ範囲情報、クリッピング最大明るさ範囲情報及びクリッピング最小明るさ範囲情報に対しては、図３、図４及び図９の説明部分で詳細に説明した。
【０２１２】
本発明のまた他の一実施例によると、広域明るさ範囲メタデータは、ＳＥＩメッセージに含ませて伝送することができ、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含ませて伝送することができる。これに対しては、図７〜図８、図１１〜図１３の説明部分で詳細に説明した。
【０２１３】
本発明のまた他の一実施例によると、広域明るさ範囲メタデータは、イベント情報テーブル（Ｅｖｅｎｔ  Ｉｎｆｏｒｍａｔｉｏｎ  Ｔａｂｌｅ；ＥＩＴ）内に各イベントに適用される情報を記述するイベントレベルディスクリプタに含ませて伝送することができる。これに対しては、図１１〜図１３の説明部分で詳細に説明した。
【０２１４】
説明の便宜上、各図面を分けて説明したが、各図面に叙述されている各実施例を併合して新たな実施例を実現するように設計することも可能である。そして、当業者の必要に応じて、以前に説明した各実施例を実行するためのプログラムが記録されているコンピューターで読み取り可能な記録媒体を設計することも本発明の権利範囲に属する。
【０２１５】
本発明に係る装置及び方法は、上述した各実施例の構成と方法が限定的に適用されるものではなく、上述した各実施例は、多様な変形がなされるように各実施例の全部または一部が選択的に組み合わされて構成されることも可能である。
【０２１６】
一方、本発明の映像処理方法は、ネットワークデバイスに備えられたプロセッサが読み取り可能な記録媒体にプロセッサが読み取り可能なコードとして実現することが可能である。プロセッサが読み取り可能な記録媒体は、プロセッサによって読まれるデータが格納される全ての種類の記録装置を含む。プロセッサが読み取り可能な記録媒体の例としては、ＲＯＭ、ＲＡＭ、ＣＤ―ＲＯＭ、磁気テープ、フロッピーディスク、光データ格納装置などがあり、また、インターネットを介した伝送などのキャリアウェーブの形態で実現されるものも含む。また、プロセッサが読み取り可能な記録媒体は、ネットワークで連結されたコンピューターシステムに分散され、分散方式でプロセッサが読み取り可能なコードが格納されて実行され得る。
【０２１７】
また、以上では、本発明の好ましい実施例に対して図示して説明したが、本発明は、上述した特定の実施例に限定されるものではなく、特許請求の範囲で請求する本発明の要旨から逸脱しない範囲で、当該発明の属する技術分野で通常の知識を有する者によって多様な変形実施が可能であることは当然であり、このような変形実施は、本発明の技術的思想や展望から個別的に理解してはならない。
【０２１８】
そして、当該明細書では、物の発明と方法の発明を全て説明しており、必要に応じて両発明の説明は補充的に適用することができる。
【０２１９】
〔発明を実施するための形態〕
発明の実施のための形態は、上述したように、発明の実施のための最善の形態で説明した。
【産業上の利用可能性】
【０２２０】
本発明は、放送産業全般にわたって利用可能である。
【図１】
0006294489.tif 000002
【図２】
0006294489.tif 000003
【図３】
0006294489.tif 000004
【図４】
0006294489.tif 000005
【図５】
0006294489.tif 000006
【図６】
0006294489.tif 000007
【図７】
0006294489.tif 000008
【図８】
0006294489.tif 000009
【図９】
0006294489.tif 000010
【図１０】
0006294489.tif 000011
【図１１】
0006294489.tif 000012
【図１２】
0006294489.tif 000013
【図１３】
0006294489.tif 000014
【図１４】
0006294489.tif 000015
【図１５】
0006294489.tif 000016
【図１６】
0006294489.tif 000017
【図１７】
0006294489.tif 000018
【図１８】
0006294489.tif 000019